(57)【要約】      （修正有）【課題】構成が簡易で、設置作業が容易であり、且つ、設置費用とそれに対する維持管理コストが安価である地表面或いは床面暖房装置を提供する。【解決手段】天井部２と、天井部２の下方面に積層配置されており、天井部２の平面形状と同一の平面形状を有し、且つ保温性を有する支持部材３とから構成されたパネル基板部１であって、支持部材３には、所定の深さと幅を有する長尺状の溝部４が、支持部材３の一方の長手方向の端縁部と平行な方向に形成されているパネル基板部１と、当該パネル基板部１の長尺状の溝部４内部に挿入・引抜き自在に嵌入せしめられる線状或いは帯状の長尺状発熱体５との組で構成されている。【選択図】図１
0003218862.tif 000002
【実用新案登録請求の範囲】
【請求項１】
矩形状の平面形状を有し、且つ放熱性或いは熱伝導性の大なる材料で構成された板状部材からなる天井部と、当該天井部の下方面に積層配置されており、当該天井部の平面形状と同一の平面形状を有し、且つ保温性或いは蓄熱性若しくは断熱性を有する適宜の材料で構成された所望の厚みを有する支持部材とから構成されたパネル基板部であって、当該支持部材には、当該支持部材に於ける当該天井部に当接する表面部からその下方部に向かって、所定の深さを持ち、所定の幅を有する少なくとも一本の長尺状の溝部が、当該支持部材に於ける一方の長手方向と平行な方向に形成されているパネル基板部と、当該パネル基板部に於ける当該長尺状の溝部内部に挿入・引抜き自在に嵌合せしめられる少なくとも一本の線状或いは帯状の長尺状発熱体との組で構成されている発熱構造体を使用する事を特徴とする地表面或いは床面暖房装置。
【請求項２】
当該パネル基板部に於ける当該天井部の当該天井部と当接している一方の平面部とは反対側の平面部には、当該天井部の平面形状と同一の平面形状を有し、且つ、断熱性を有する適宜の材料で構成された所望の厚みを有する保護部材が設けられている事を特徴とする請求項１に記載の地表面或いは床面暖房装置。
【請求項３】
当該支持部材に設けられている当該長尺状の溝部は、当該パネル基板部に於ける当該天井部と当該保護部材とを連通させる様に構成されている事を特徴とする請求項２に記載の地表面或いは床面暖房装置。
【請求項４】
当該パネル基板部に於ける、当該長尺状溝部と平行する方向の長さは、３００ｍｍ乃至１０００００ｍｍの範囲であり、又、当該パネル基板部に於ける、当該長尺状溝部と直交する方向の長さは、３００ｍｍ乃至１８００ｍｍの範囲である事を特徴とする請求項１乃至３の何れかに記載の地表面或いは床面暖房装置。
【請求項５】
当該複数個のパネル基板部が、当該個々のパネル基板部に設けられている当該長尺状溝部の中心軸線が一致する様に連続的に相互に縦列的接合されている事を特徴とする請求項１乃至４の何れかに記載の地表面或いは床面暖房装置。
【請求項６】
当該複数個のパネル基板部が、当該個々のパネル基板部に設けられている当該長尺状溝部の中心軸線同士が相互に平行となる様に連続的に相互に並列的接合されている事を特徴とする請求項１乃至５の何れかに記載の地表面或いは床面暖房装置。
【請求項７】
当該パネル基板部に於ける当該天井部の外面表面部には、遠赤外線を放射する材料が、積層されているか、或いは当該遠赤外線を放射する材料が直接塗布されている事を特徴とする請求項１乃至６の何れかに記載の地表面或いは床面暖房装置。
【請求項８】
当該パネル基板部に於ける当該天井部の外面表面部には、当該長尺状溝部の中心軸線方向に沿って、当該長尺状溝部の空間領域の幅と等しいか、それに近似する幅を持った帯状のカラー標識部が形成されている事を特徴とする請求項１乃至７の何れかに記載の地表面或いは床面暖房装置。
【請求項９】
当該パネル基板部に於ける当該天井部の外面表面部には、当該長尺状溝部の中心軸線方向に沿った、当該長尺状溝部の空間領域の幅と等しいか、それに近似する幅を持った帯状の領域部を除く部分に少なくとも１個の釘或いはネジ等固定部材を貫通させる為の開口部が設けられている事を特徴とする請求項１乃至８の何れかに記載の地表面或いは床面暖房装置。
【請求項１０】
当該パネル基板部に於ける当該長尺状溝部の中心軸線方向と平行する側の端縁部の下方側壁面の一部に、当該パネル基板部を適宜の基底部に接合固定する事を可能とする結合固定部材が設けられている事を特徴とする請求項１乃至９の何れかに記載の地表面或いは床面暖房装置。
【請求項１１】
当該パネル基板部の厚みは、１０乃至３０ｍｍであることを特徴とする請求項１乃至１０の何れかに記載の地表面或いは床面暖房装置。
【請求項１２】
当該線状或いは帯状の長尺状発熱体は、その内部に、当該長尺状発熱体の長手方向に沿って、相互に所定の間隔を介して平行して配置されている一対の電極線を内蔵しており、当該各電極線が、当該長尺状発熱体の一方の端部から外方に突出して一対の電極部を形成している事を特徴とする請求項１乃至１１の何れかに記載の地表面或いは床面暖房装置。
【請求項１３】
当該線状或いは帯状の長尺状発熱体に於ける、当該長尺状発熱体の一方の端部から外方に突出して一対の電極部のそれぞれの端部には、適宜の配線接続用コネクタ部材が取り付けられている事を特徴とする請求項１２に記載の地表面或いは床面暖房装置。
【請求項１４】
当該線状或いは帯状の長尺状発熱体に於ける、当該電極部が形成されている端部とは異なる他方の端部には、前方に突出した薄厚の舌べら状案内部材を有するキャップ部材が取り付けられている事を特徴とする請求項１２又は１３に記載の地表面或いは床面暖房装置。
【請求項１５】
当該パネル基板部に於ける、当該長尺状溝部と直交する少なくとも一方の端縁部に於ける当該長尺状溝部の１つ若しくは複数個の開口端部から当該長尺状溝部内に挿入・引抜自在の状態で挿入されている１本若しくは複数本の当該長尺状発熱体を含む当該パネル基板部であって、当該長尺状発熱体が挿入された当該端縁部に於ける当該開口端部から当該配線接続用コネクタ部材が外方に突出せしめられている当該パネル基板部が使用されている事を特徴とする請求項１乃至１４の何れかに記載の地表面或いは床面暖房装置。
【請求項１６】
当該複数個のパネル基板部が、適宜の基底部表面上に、当該個々のパネル基板部に設けられている当該長尺状溝部の中心軸線が一致する様に連続的に相互に縦列的に隣接接合されて配置されている部分と、当該個々のパネル基板部に設けられている当該長尺状溝部の中心軸線同士が相互に平行となる様に連続的に相互に並列的に隣接接合されて配置されている部分とを含む様に敷設されて事を特徴とする請求項１乃至１５の何れかに記載の地表面或いは床面暖房装置。
【請求項１７】
当該複数個のパネル基板部の少なくとも一部の当該パネル基板部が、当該パネル基板部に於ける当該天井部の外面表面部形成された当該帯状のカラー標識部以外の当該天井部領域から適宜の釘或いはネジを当該基底部まで届く様に打ち込み或いはねじ込みして当該基底部に固定されるか、当該パネル基板部に於ける当該天井部の外面表面部形成された当該開口部から適宜の釘或いはネジを当該基底部まで届く様に打ち込み或いはねじ込みして当該基底部に固定されるか、或いは、当該パネル基板部に於ける当該長尺状溝部の中心軸線方向と平行する側の端縁部の下方側壁面の一部に設けられている当該結合固定部材を介して、適宜の釘或いはネジを使用して、当該パネル基板部を適宜の基底部に接合固定されている事を特徴とする請求項８乃至１６の何れかに記載の地表面或いは床面暖房装置。
【請求項１８】
当該パネル基板部に於ける当該天井部の外面表面部には、クッション性や、強度や耐摩耗性、若しくは熱伝導性の大なる材料或いは大理石を含む遠赤外線を放射する材料で構成された外部表面層部が設けられている事を特徴とする請求項１乃至１７の何れかに記載の地表面或いは床面暖房装置。
【請求項１９】
当該複数個のパネル基板部が、適宜の当該基底部の表面に、略矩形状に隣接配置されて構成されたパネル基板部群に於ける、当該複数本の長尺状発熱体の当該配線接続用コネクタ部材が外方に突出せしめられている側の当該パネル基板部群の端縁部側の側面の外方部に形成される空間部に、当該長尺状発熱体を当該パネル基板部に形成された当該長尺状溝部内に挿入させるか引き抜きする為、若しくは、当該配線接続用コネクタ部材を電源用配線に設けられた別の接続用コネクタ部材とを接続させるための操作を実行する為の作業空間部及び点検作業を行うための空間領域部が設けられている事を特徴とする請求項１乃至１８の何れかに記載の地表面或いは床面暖房装置。
【請求項２０】
当該空間領域部は、当該パネル基板部群に於ける、当該複数本の長尺状発熱体の当該配線接続用コネクタ部材が外方に突出せしめられている側の当該パネル基板部群の端縁部側の側面と、当該パネル基板部群が敷設されている平面状領域の少なくとも一部を取り囲む壁部との間に形成されている事を特徴とする請求項１９に記載の地表面或いは床面暖房装置。
【請求項２１】
当該空間領域部の長尺状方向の長さは、当該パネル基板部群に於ける、当該複数本の長尺状発熱体の当該配線接続用コネクタ部材が外方に突出せしめられている側の当該パネル基板部群の端縁部側の側面部の全長に略等しい長さを有し、且つ当該当該空間領域部の当該長尺状方向と直交する方向の長さは、２００乃至３００ｍｍであり、且つ当該空間領域部の深さは、当該パネル基板部の厚みと略同じ高さに設定されている事を特徴とする請求項１９又は２０に記載の地表面或いは床面暖房装置。
【請求項２２】
当該空間領域部内には、当該空間領域部の長尺状方向に沿って、適宜の電源手段に接続された正極電源配線部と負極電源配線部とが相互に平行に配設されており、当該個々の正極電源配線部と負極電源配線部には、適宜の間隔で、分岐配線部が設けられており、且つ、当該個々の分岐配線部の先端部には、当該パネル基板部に於ける、所定の端縁部から突出せしめられている、当該長尺状発熱体の端部電極部に接続された当該配線接続用コネクタ部材の何れかと着脱自在に接合可能な別のコネクタ部材が取り付けられている事を特徴とする請求項２１に記載の地表面或いは床面暖房装置。
【請求項２３】
当該空間領域部には、当該空間領域部を被覆する適宜の材料で構成された蓋部材が設けられている事を特徴とする請求項１９乃至２２の何れかに記載の地表面或いは床面暖房装置。
【請求項２４】
当該蓋部材は、金属材料を少なくともその一部に内蔵した当該外部表面層部を構成する材料と同一の材料で構成されている事を特徴とする請求項１８乃至２３の何れかに記載の地表面或いは床面暖房装置。
【請求項２５】
当該蓋部材は、当該空間領域部内に設けられた適宜の磁性体の磁力の影響下で、当該空間領域部の上面部に着脱自在に配置されている事を特徴とする請求項２３又は２４に記載の地表面或いは床面暖房装置。
【請求項２６】
当該パネル基板部に於ける当該天井部の外面表面部に設けられている当該外部表面層部と当該蓋部材の外面表面層部は、面一状に配置されている事を特徴とする請求項１８乃至２５の何れかに記載の地表面或いは床面暖房装置。
【請求項２７】
当該空間領域部内に配置されている当該個々の正極電源配線部と負極電源配線部が接続されている当該適宜の電源手段には、それぞれの当該長尺状発熱体に、所望の電力が最初に供給された時点から、所望の初期駆動時間の間に於いて、当該複数本の当該長尺状発熱体のそれぞれを、所望の遅延時間を介して、順次に当該電源手段と接続させる様に機能する長尺状発熱体部逐次個別駆動制御手段が設けられている事を特徴とする請求項２２乃至２６の何れかに記載の地表面或いは床面暖房装置。
【考案の詳細な説明】
【技術分野】
【０００１】
本考案は、トンネル式の地表面或いは床面暖房装置に関するものであり、更に詳しくは、簡易な構成でありながら、施工性が良く且つ、安価で経済性にも優れた、特に屋内外の大衆が集まる地域或は建物に於ける地表面或は床面を効果的に暖房する事が可能な地表面或いは床面暖房装置に関するものであり、当該地表面或いは床面暖房装置を複数個連結して構成された大型面状暖房装置に関するものである。
【背景技術】
【０００２】
従来より、地表面や屋内の床面を含む一般的基底面部を加熱保温したり蓄熱保温する技術に関しては多数の異なる技術が開発され、一般的に実用化されてきている。
例えば、屋内の特に戸建住宅やマンションの個室等における床面を加熱保温する技術としては、通称、床暖房技術として周知されている通り、板体、繊維層体、プラスチック層体或いは大理石等を含む石材層からなる表面層部の下面層部に、通電により発熱する電気式発熱シートを配置するか、適宜の支持体層の間に、適宜の中空管をジグザグ状に引き回し配管し、当該中空管内に温水或いは温風を流通させるか、或いは当該中空管の代わりに、通電により発熱する線状発熱体を同じ形状で引き回し配設したブロックパネル材を複数個隣接して配列する方法が知られており、又、工場や倉庫等の大型建屋内或いは屋外の適宜の地表面に於いても、当該地表面を必要に応じて加熱したり、保温しておく必要のある部位は多数存在しており、例えば、当該工場や倉庫の内部温度を一定の温度に維持したいとか、道路や橋梁の表面或いは公衆が集まる公共施設等の地表面に凍結状態が発生すると危険な為、当該凍結防止のためにその地表面を加熱保温したり、特定の動植物の育成に際して、地中や地表面更には雰囲気温度を所望の温度に制御したい様な場合が多く存在しており、その何れの場合でも、地表面である基底面を主にコンクリートで構成し当該コンクリート層を主体とする本体部の表面部やその内部に適宜の中空管を配設し、当該中空管内に温水や温泉水、或いは温風を流通させるか、或いは当該中空管の代わりに、通電により発熱する面状発熱体を配置するか、通電により発熱する線状発熱体をジグザグ状に引き回し配線する方法、更には、当該コンクリート層を主体とする本体部の表面部やその内部に赤外線或いは電磁波を受けて発熱する発熱部材を配置する技術等が知られている。
【０００３】
上記従来技術のそれぞれは、何れも個々の特徴を有しており、使用部位、使用目的、得られる作用効果等に於いて利点並びに欠点を有するものであるが、構造の簡易性、設置コスト、維持管理を含めたランニングコスト及び制御性等を勘案すると、例えば、特開２００１−００３３０７号公報（特許文献１）、特開２００１−２６２５０７号公報（特許文献２）、特開２００３−１１４２８３号公報（特許文献３）、特開２００５−３１５０６３号公報（特許文献４）或いは特開２０１４−２０２００１号公報（特許文献５）等に示される様な、通電により発熱する線状発熱体をコンクリート層内に配置した構造のものが、本考案に於けるトンネル式地表面或いは床面暖房装置の基本構成に使用可能な技術として望ましいものと考えられる。
【０００４】
然しながら、上記した各公知技術に於いては、何れも、一つの大きなコンクリートブロック内に、一本の線状発熱体を、低コストで且つ有効に活用する為に、ジグザグ状に多数箇所に於いて屈曲させた状態で配置するものである為、当該線状発熱体の平均有効活性寿命が５年程度である事を考慮すると、当該線状発熱体の特性値が数年で低下した場合には、当該線状発熱体のみを当該コンクリートブロックから引き抜いて、新しい当該線状発熱体と差し替えて使用する事は全く不可能であるので、当該コンクリートブロック毎、新しい発熱保温性コンクリートブロックに取り替える必要があり、経済的コストの負担はかなり厳しいものとなると言う欠点がある。
【０００５】
更に、当該従来の技術に於いては、当該コンクリートブロック内に配置される当該線状発熱体の表面が均一に当該コンクリート部の内面部と接触出来ない箇所が多発している事から、当該線状発熱から発生される熱エネルギーの全てが確実に当該コンクリートブロック内に伝達される補償はなく、その結果、当該線状発熱体から発生される熱エネルギーの一部が無駄となっていると言う欠点も存在していた。
更には、上記した従来例に於いては、一つの発熱性コンクリートブロックには、一定の長さの当該線状発熱体のみが配線固定されているので、当該発熱性コンクリートブロックは何れも同じ程度の発熱効果しか発揮できないので、単一の用途のみにしか使用できず、用途の汎用性が不足しており、多様性に欠けると言う欠点も有するものであった。
然も、上記した従来例に於いては、個々の部材の製造に高い製造コストが要求される他、構造が複雑で重量が重く、大型化が困難であり、施工コスト及び維持管理に係るランニングコストが高く、大型化する際の経済的課題が多く、産業的に実現が困難な状況にあった。
【先行技術文献】
【特許文献】
【０００６】
【特許文献１】特開２００１−００３３０７号公報
【特許文献２】特開２００１−２６２５０７号公報
【特許文献３】特開２００３−１１４２８３号公報
【特許文献４】特開２００５−３１５０６３号公報
【特許文献５】特開２０１４−２０２００１号公報
【考案の概要】
【考案が解決しようとする課題】
【０００７】
従って、本考案の目的は、上記した従来技術の問題点を改良し、構成が簡易で、軽量化が実現され、それによって、設置作業が容易であり、且つ、設計や施工並びにそれらの保全や修理が容易かつ簡易であり、更に当該施工・維持管理に要する費用が安価である地表面或いは床面暖房装置を提供するものであり、更に、均一な発熱状態を顕出させると共に、効率的な熱エネルギーの利用から消費エネルギーに対するコストも低減化され、然も、発熱量或いは蓄熱量を自由に調整する事が可能であることから、使用用途を大幅に汎用化させる事が可能な地表面或いは床面暖房装置を提供するものである。
更に、本考案の他の目的は、当該地表面或いは床面暖房装置を使用した、従来にない大型化された大型面状暖房装置を提供するものである。
尚、本考案に於ける当該地表面或いは床面暖房装置をトンネル式と称するのは、本考案で使用される線状或いは帯状の長尺状発熱体が、本考案に於けるパネル基板部の支持部材に形成された長尺状の溝部内を挿入・引き抜き自在に移動する事が可能な様に構成されているので、当該長尺状の溝部がトンネル状の機能を発揮する事に対応するものである。
【課題を解決するための手段】
【０００８】
本考案は、上記した従来技術の問題点を解決し、上記した本考案の目的を達成する為に、基本的には、以下に示す様な技術構成を採用するものである。
即ち、本考案の基本的な態様は、矩形状の平面形状を有し、且つ放熱性或いは熱伝導性の大なる材料で構成された板状部材からなる天井部と、当該天井部の下方面に積層配置されており、当該天井部の平面形状と同一の平面形状を有し、且つ保温性或いは蓄熱性若しくは断熱性を有する適宜の材料で構成された所望の厚みを有する支持部材とから構成されたパネル基板部であって、当該支持部材には、当該支持部材に於ける当該天井部に当接する表面部からその下方部に向かって、所定の深さを持ち、所定の幅を有する少なくとも一本の長尺状の溝部が、当該支持部材に於ける一方の長手方向の端縁部の方向と平行する方向に形成されているパネル基板部と、当該パネル基板部に於ける当該長尺状の溝部内部に挿入・引抜き自在に嵌合せしめられる少なくとも一本の線状或いは帯状の長尺状発熱体との組で構成されている事を特徴とする地表面或いは床面暖房装置である。
【考案の効果】
【０００９】
本考案に係る当該地表面或いは床面暖房装置及び当該大型面状暖房装置はそれぞれが上記した様な、技術構成を採用している事から、従来技術の問題点を改良し、構成が簡易で、設置作業が容易であり、且つ、設計や施工並びにそれらの保全や修理が容易かつ簡易であり、更に当該長尺状発熱体が、当該パネル基板部に於ける当該支持部材に設けられている当該溝部内に、自在に挿入・引き抜きが出来る様に構成されているので、当該長尺状発熱体が故障したり、その発熱特性が低下した場合に、その交換操作が極めて簡単で、短時間で実行する事が可能であることから、当該施工・維持管理に要する費用が安価であり、又、本体部分である、当該天井部を含む当該パネル基板部は、長期間に亘って連続的に使用可能であり、更に、均一な発熱状態を顕出させると共に、効率的な熱エネルギーの利用から消費エネルギーに対するコストも低減化され、然も、発熱量或いは蓄熱量を自由に調整する事が可能であることから、使用用途を大幅に汎用化させる事が可能なトンネル式地表面或いは床面暖房装置及び大型面状暖房装置を提供するものである。
【図面の簡単な説明】
【００１０】
【図１】図１は、本考案に係る地表面或いは床面暖房装置を構成する組の一具体例の構成を示す斜視図である。
【図２】図２は、本考案に係るトンネル式地表面或いは床面暖房装置に於けるパネル基板部の一具体例の構成を示す斜視図である。
【図３】図３は、本考案に係る当該パネル基板部に於ける、当該長尺状の溝部の中心軸線と直交する方向から見た構成例を示す断面図である。
【図４】図４は、本考案に係るトンネル式地表面或いは床面暖房装置で使用される当該パネル基板部の一具体例の構成例を示す平面図である。
【図５】図５は、本考案に係る線状或いは帯状の長尺状発熱体の一具体例に於ける構成を示す断面図である。
【図６】図６は、本考案で使用される当該線状或いは帯状の長尺状発熱体の構成の一具体例を示す外観斜視図及びその側面図である。
【図７】図７（Ａ）は、本考案に係る当該パネル基板部に於いて当該線状或いは帯状の長尺状発熱体が当該支持部材の当該長尺状の溝部に挿入されている場合の構成例を示す斜視図であり、図７（Ｂ）は、図７（Ａ）に於ける当該線状或いは帯状の長尺状発熱体の挿入面側から当該パネル基板部の側面図である。
【図８】図８は、本考案に係るパネル基板部に取り付けられる結合固定部材の構成の一具体例を説明する図である。
【図９】図９は、本考案に係る地表面或いは床面暖房装置で使用されるパネル基板部の一具体例を示す平面図である。
【図１０】図１０は、本考案に係る地表面或いは床面暖房装置で使用されるパネル基板部のスペックの一具体例を説明する図である。
【図１１】図１１は、本考案に係る地表面或いは床面暖房装置で使用されるユニット部材としてのパネル基板部の他の構成例を示す平面図である。
【図１２】図１２は、本考案に係る地表面或いは床面暖房装置を構成するユニット部材としてのパネル基板部の配置構成例を示す平面図である。
【図１３】図１３は、本考案に係る地表面或いは床面暖房装置を構成するユニット部材としてのパネル基板部の配置構成の他の例を示す平面図である。
【図１４】図１４は、本考案に係る地表面或いは床面暖房装置に於ける、電源手段との接続構造の一具体例の構成を説明する図である。
【図１５】図１５は、本考案に係る地表面或いは床面暖房装置に於ける作業用空間領域内の構成例を示す側断面図である。
【図１６】図１６は、本考案に係る地表面或いは床面暖房装置に於ける作業用空間領域内の構成例を示す平面図である。
【図１７】図１７は、本考案に係る地表面或いは床面暖房装置に於ける作業用空間領域の蓋部の構成例を説明する図である。
【考案を実施するための形態】
【００１１】
以下に、本考案に係る当該地表面或いは床面暖房装置１００のそれぞれに付いて、個々の各具体例の構成例を、図面を参照しながら詳細に説明する。
先ず、本考案に係る基本的態様である当該地表面或いは床面暖房装置１００の具体的な構成の例を説明する。
【００１２】
即ち、図１は、本考案に係る基本的態様である当該地表面或いは床面暖房装置１００の一具体例の構成を示したものであって、図１（Ａ）及び、図１（Ｂ）は、本考案に係る基本的態様である当該地表面或いは床面暖房装置１００の第１の具体例を示しており、図中、矩形状の平面形状を有し、且つ放熱性或いは熱伝導性の大なる材料で構成された板状部材からなる天井部２と、当該天井部２の下方面に積層配置されており、当該天井部２の平面形状と同一の平面形状を有し、且つ保温性或いは蓄熱性若しくは断熱性を有する適宜の材料で構成された所望の厚みを有する支持部材３とから構成されたパネル基板部１であって、当該支持部材３には、当該支持部材３に於ける当該天井部２に当接する表面部８からその下方部に向かって、所定の深さを持ち、所定の幅を有する少なくとも一本の長尺状の溝部４が、当該支持部材３に於ける一方の長手方向の端縁部９と平行な方向に形成されているパネル基板部１と、当該パネル基板部１に於ける当該長尺状の溝部４内部に挿入・引抜き自在に嵌入せしめられる少なくとも一本の線状或いは帯状の長尺状発熱体５との組で構成されている事を特徴とする地表面或いは床面暖房装置１００が示されている。
【００１３】
そして、本考案の別の特徴的技術思想としては、後述する様に、所望の数の当該パネル基板部１を所望の領域を持った床面或いは地表面に、所定の形式にて二次元的に敷設配置した後に、当該パネル基板部１の長尺的に連通したトンネル状の当該長尺状の溝部４内部に、当該パネル基板部１に於ける一方の端縁部５９に形成された当該長尺状の溝部４の開口端部４００から当該少なくとも一本の線状或いは帯状の長尺状発熱体５を挿入するか、後日、当該パネル基板部１内の当該長尺状の溝部４内部に嵌入されている当該線状或いは帯状の長尺状発熱体５の一部が故障するか、必要とする発熱性能が発揮されない状態に至った場合には、当該パネル基板部１の配置状態を何ら変更することなく、当該不具合を生じた線状或いは帯状の長尺状発熱体５のみを当該パネル基板部１の当該長尺状の溝部４から引き抜き、新しい線状或いは帯状の長尺状発熱体５と交換する事が可能であるという点にあるのである。
【００１４】
更に、本考案に於ける当該パネル基板部１に於いては、図３に示す様に、当該支持部材３に於ける当該天井部２と当接している一方の表面部８とは反対側の裏表面部８’には、当該天井部２の平面形状と同一の平面形状を有し、且つ、断熱性を有する適宜の材料で構成された所望の厚みを有する保護部材７が設けられている事も望ましい事も好ましい具体例である。
当該保護部材７の構成材料は特に限定されるものではないが、例えば、当該保護部材７は、所望の強度と所望の断熱性を有する材料で構成されている事が望ましく、その材料は特に特定されるものではないが、合成樹脂材料、複合体状の合成樹脂材料、ＦＲＰ合成樹脂材料、木材、ベニヤ板、ハニカム構造体等から構成された板状体で構成されている事が望ましい具体例であり、又、当該保護部材７は、０．５ｍｍ乃至３ｍｍ程度の厚みを有するものである事が望ましい。
【００１５】
一方、本考案に於ける当該天井部２を構成する材料は、特に限定されるものではないが、所望の強度と耐久性を有し、且つ放熱性或いは熱伝導性を有する材料で構成されるものである事が望ましく、例えば、ステンレス、鉄、銅、アルミ、ガルバニウム等の金属材料から選択された熱伝導性の大なる材料で、より好ましくは、熱放熱性の大なる材料から構成されたものである事が望ましく、同時に、その上面には、多数の人物や動物、車両、重量の大きい固定或いは移動可能な物体、物品、或いは農耕作用の土等が、常時、搭載され、且つ場合によっては、移動、摺動するので、かなりの荷重が印加されることから、それに対応する耐久性を持つ強度と強力、並びに引張強力を持つように構成されているものである。
【００１６】
その為、当該天井部２の厚みは、特に限定されるものではないが、例えば、０．５ｍｍ乃至３ｍｍ程度の厚みを有するものである事が望ましい。
又、当該天井部２の平面形状も特に限定されるものではないが、好ましくは矩形状を基本形状とするものであり、その一片の長さは、３００ｍｍ乃至１８００ｍｍで、それと直交する方向の他方の片の長さも、３００ｍｍ乃至１８００ｍｍである事が望ましく、勿論正方形の形状を有するものであっても良い事は言うまで無い。
本考案に於いて、最も基本的な当該天井部２の平面形状は、例えば、９００ｍｍ×９００ｍｍの正方形であるが、逆に当該天井部２の長い方の一辺の長さは、数ｍ或いは数１０ｍ場合によっては、数１００ｍであるものも適用可能である。
更には、所定の面積を持つ地表面或いは床面暖房装置１００用の領域であっても、当該所定の基本的な形状を持った当該パネル基板部１のみでは、完全にカバーする事が不可能な場合が必ず発生するので、３００ｍｍ×９００ｍｍとか、４５０ｍｍ×９００ｍｍとか、１８００ｍｍ×３００ｍｍ等の異なる矩形形状を持つ複数種類の補助的パネル基板部１を予め準備しておくのも好ましい具体例である。
【００１７】
次に、本考案に係る当該支持部材３の構成に付いて説明するならば、当該支持部材３は、当該天井部２の平面形状と同一の平面形状を有し、且つ保温性或いは蓄熱性若しくは断熱性並びに適度の段発性及び軽量で、特に圧縮強度に優れている材料で構成されたものである事が望ましく、例えば、木材、合板、べにや板、発泡性若しくは非発泡性の硬質ウレタン樹脂やスチレン樹脂、プロピレン樹脂その他適宜の合成樹脂材料や、ゴム系樹脂材料で構成されたもの或いはそれらのハニカム構造体であっても良い。
又、本考案に於いて使用される当該支持部材３の厚みに関する構成寸法も特に限定されるものではないが、当該長尺状の溝部４の閉鎖空間領域の大きさに合わせて設定する事が必要であり、従って、その厚みは、８ｍｍ乃至１２ｍｍ程度とする事が望ましい。
【００１８】
さらに、当該保護部材７は、所望の強度と所望の断熱性や非熱伝導性を有する材料で構成されている事が望ましく、その材料は特に特定されるものではないが、合成樹脂材料、複合体状の合成樹脂材料、ＦＲＰ合成樹脂材料、木材、ベニヤ板、ハニカム構造体等から構成された板状体で構成されている事が望ましい具体例であり、又、当該保護部材７は、所望の厚みを有し、且つ矩形状の平面形状を有するものである事が望ましい。
本考案に於ける当該保護部材７の厚みは特に限定されるものではないが、例えば、０．５ｍｍ乃至５ｍｍである事が好ましい具体例である。
尚、本考案に係る当該パネル基板部１は、上記した天井部２と支持部材３とが、要すれば当該保護部材７を含めて図３に示すような積層形態において、適宜の接着剤或いは接合手段を介して一体的に接合固定されているものである事が望ましい。
【００１９】
又、本考案に於ける当該天井部２と支持部材３とが積層されて形成された当該パネル基板部１或いは、該天井部２と支持部材３と当該保護部材７とが積層されて形成された当該パネル基板部１の厚みＴは特に限定されるものではないが、例えば、１０ｍｍ乃至１５ｍｍである事が望ましく、より好ましい具体例では、当該パネル基板部１の厚みＴは１２ｍｍある。
更に、本考案に於ける当該支持部材３には、当該天井部２と当接する表面部８から当該支持部材３の内部方向に向けて所定の幅と所定の深さをもった長尺状の溝部４が少なくとも１本、好ましくは複数本が相互に平行な状態を維持しながら配置されているものである。
【００２０】
本考案に於いて、当該長尺状の溝部４が形成される方向は、当該保護部材７の平面形状に於ける相互に対向して形成されている２組の辺部の一方の組の辺部と平行な方向に配置される事が望ましく、当該保護部材７の平面形状が正方形である場合を除き、通常は、当該保護部材７の平面形状長い方の辺と平行となる様に、１本或いは複数本の当該長尺状の溝部４を相互に平行となる様に配列させて設けるものである。
本考案に於ける当該長尺状の溝部４の幅方向、つまり、当該長尺状の溝部４の中心軸線と直交する方向の長さは、特に限定されないが、例えば、１５ｍｍないし２５ｍｍの範囲内で、且つ後述する様に、本考案に於いて使用される当該線状或いは帯状の長尺状発熱体５の太さ或いは幅を考慮して決定されるものである。
一方、当該長尺状の溝部４の深さも特に限定されるものではなく、後述する様な本考案に使用出来る各種の当該線状或いは帯状の長尺状発熱体５の大きさを考慮して決定する事が望ましい。
【００２１】
本考案に於ける一具体例に於いては、当該深さは、５ｍｍ乃至１０ｍｍである。
本考案に於いては、図３に示す様に、当該長尺状の溝部４は、少なくとも１本が当該支持部材３内部に形成されるものであるが、好ましくは複数本の当該長尺状の溝部４が、相互に平行でかつ当該支持部材３の平面形状に於ける１辺部、好ましくは、長尺方向と平行な１辺部９と平行に所定の間隔を介して配置されているものである。
本考案に於いては、当該支持部材３内に配置される当該長尺状の溝部４の数は特に限定されるものではないが、例えば、図４に示される様な代表的で且つ極く基本的なスペックとして使用される本考案に係る当該パネル基板部１に於いては、その幅方向、つまり、当該長尺状の溝部４の中心軸線と直交する方向の長さが９００ｍｍである場合に、２本乃至６本の当該長尺状の溝部４を配置形成するものである。
【００２２】
本考案に於ける当該パネル基板部１の当該支持部材３に形成された当該長尺状の溝部４の配置状態の具体例を図３（Ａ）及び図３（Ｂ）に示されている。
本考案に於いては、当該支持部材３に於ける表面部８からその内部に向けて形成された当該長尺状の溝部４は、その表面部８の全面が当該天井部２で被覆されるので、当該長尺状の溝部４は、中空状の貫通孔となり、トンネル状の構造を形成するものである。
【００２３】
又、図３（Ｃ）に示された本考案に於ける当該パネル基板部１の別の具体例では、当該長尺状の溝部４は、当該天井部２と当該保護部材７との間を貫通して形成された深さを有している構造を示しており、係る構成を採用することにより、当該長尺状の溝部４を容易に且つ迅速に形成する事が可能となる。
つまり、本考案に於ける上記具体例に於いては、当該支持部材３に設けられている当該長尺状の溝部４は、当該パネル基板部１に於ける当該天井部２と当該保護部材７とを連通させる様に構成されている事を特徴とするものである。
【００２４】
次に、本考案に係る当該線状或いは帯状の長尺状発熱体５の構成について説明する。
即ち、本考案に係る当該線状或いは帯状の長尺状発熱体５は、本考案に係る当該パネル基板部１と組みを構成し、それぞれが本考案に係る当該地表面或いは床面暖房装置１００を構成する基本技術要素となっているものである。
此処で、本考案に係る当該線状或いは帯状の長尺状発熱体５の具体的構成例を図５及び図６を参照しながら詳細に説明するが、本考案に係る当該線状或いは帯状の長尺状発熱体５は係る具体例の構成に限定されるものでは無いことは言うまでもない。
即ち、本考案に於いて使用する当該線状或いは帯状の長尺状発熱体５について説明するならば、本考案に於いて使用される当該長尺状発熱体５はその構成は特に限定されるものではないが、例えば、図５に示す様に、一対の電極５１，５２の間に、炭素粒子と適宜の合成樹脂接着粒子とが混合された発熱層５３を配置して、それを適宜の絶縁性合成樹脂材料層５４で被覆した構造を有し、当該電極５１，５２を所定の電源手段７０に接続させて通電すると、当該発熱層５３が発熱するという構成の発熱体５を使用する事が望ましい。
【００２５】
上記した本考案に於いて使用される当該線状或いは帯状の長尺状発熱体５は、当該合成樹脂粒子が温度によってその体積が変化する様に設計されている場合には、当該発熱層５３に対する通電量が変化するので、所謂、自己温度制御機能を有する線状若しくは帯状の長尺状発熱体部（ＰＴＣ発熱線）として知られており、係る構成の長尺状発熱体部を使用する事が望ましい。
然も、上記した通り、本考案に於ける当該長尺状発熱体５は、特に、線状或いは帯状の長尺状発熱体を使用する事が必要であり、その形状も円形断面を有する線状体構造のものであっても良く或いは、楕円形の断面形状を有するものや、扁平状の断面を有する帯状の発熱体で有っても良い。
【００２６】
更に、本考案に於いて使用される当該長尺状発熱体部５は、従来の電気エネルギーを使用した線条発熱体、例えば、ニクロム線等を使用する場合に比べて、発熱温度調整のために、サーモスタット手段等の余計な制御回路部品を使用する必要がないので、コストの低減の構造の簡素化が実現される。
然も、本考案に於いて使用される当該線状或いは帯状の長尺状発熱体５は、低温下でも十分に発熱し、しかも発熱体が自己温度制御性があるため、サミスターなどの温度制御装置が要らないと言う特徴を有している。
【００２７】
一方、本考案に於いては、当該長尺状発熱体５は、少なくとも前記した当該長尺状の溝部４よりもその長さが長く設定されている必要があり、それによって、当該長尺状発熱体５を当該長尺状の溝部４内に挿入配置した場合に、図７に示す様に、その一方の端部６３の一部、或いは、例えば当該電極部５１、５２、若しくは当該電極部５１、５２に接続されている適宜の構成を有する着脱自在機能を持ったコネクター部５５、５６が、当該支持部材３の一方の端縁部５９に設けられている当該長尺状の溝部４の一方の開放端部４００から外方に突出して配置されるので、当該長尺状発熱体５の当該電極部５１、５２の端部を要すれば当該コネクター部５５、５６を介して、後述する適宜の電源手段７０と電気的に接合する際に便利となる。
【００２８】
尚、本考案に於いては、当該パネル基板部１に形成されている当該長尺状の溝部４の当該支持部材３に於ける、当該一方の端部５９に対向する当該他方の端部５９’に形成される当該長尺状の溝部４の他方の端部は、当該他方の端縁部５９’の側面部に開口部４００を形成するものであっても良く、或いは密閉されている状態であっても良い事は言うまでもない。
本考案に係る当該線状或いは帯状の長尺状発熱体５の全体的な外観形状の一例を図６に示すが、その断面に於ける高さや幅、或いは直径は、当該長尺状の溝部４の内部空間内に嵌入出来る寸法に制限されるものであることが望ましい。
【００２９】
一方、本考案に係る当該線状或いは帯状の長尺状発熱体５の長尺方向の長さＬは、特に限定されるものではなく、当該パネル基板部１の単体の長さや、後述する通り、当該パネル基板部１を複数個、当該長尺状の溝部４の中心軸線を一致させるように隣接配置された当該パネル基板部群１の当該長尺方向の長さに依存して個別に決定されるものであって、例えば、３００ｍｍ（０．３ｍ）乃至３００ｍ超迄広範囲に選定される事になる。
又、本考案に係る当該線状或いは帯状の長尺状発熱体５に於いては、その一方の端部６３では当該電極部５１、５２或いは当該電極部５１、５２に接合された当該コネクター部５５、５６が、当該端部６３を超えて当該線状或いは帯状の長尺状発熱体５の長尺状中心軸線に沿って外方に延展せしめられており、一方、その反対側の端部６４に於いては、当該電極部５１、５２の外方部への延展状態は存在していない。
【００３０】
然しながら、当該他方の端部６４は、後述する通り、当該パネル基板部１の当該長尺状の溝部４内に、当該線状或いは帯状の長尺状発熱体５を挿入侵入させる場合には、その先頭部に位置するものであるため、当該長い長さに形成された当該長尺状の溝部４内を容易にかつスムースに何らの引っ掛かり原因を発生させずに進入移動することが必要であるから、図６に示す様な進入案内部材６０を取り付けておく事も望ましい具体例である。
【００３１】
本考案に係る当該進入案内部材６０の構成は特に限定されるものでは無く、当該線状或いは帯状の長尺状発熱体５の先端部が当該長尺状の溝部４の内部で何らの引掛かりや衝突等を発生させずに容易にかつスムースに先方に移動できる様に機能する構成を有するものであれば良いのであり、その一具体例としては、図６に示す様に、当該線状或いは帯状の長尺状発熱体５の先頭部６４に嵌合するキャップ部６０を使用するものであり、且つ当該キャップ部６０の先端部６５には、当該先端部６５から前方に突出せしめられた細くかつ薄い板状のガイド板６１が当該キャップ部６０と一体的に形成せしめられており、更に、当該ガイド板６１の最先端部には、若干の湾曲状に形成された案内部６２が設けられているものである。
本考案に係る当該キャップ部６０は、適宜の金属材料或いは合成樹脂材料で一体的に成型加工手段を介して製造されるものであることが望ましい。
【００３２】
本考案に於いては、最終的には、当該パネル基板部１の当該長尺状の溝部４内に所定本数の当該線状或いは帯状の長尺状発熱体５を挿入嵌合させることによって、図７に示す様に、１枚の当該パネル基板部１を使用した例ではあるが、本考案の最終目的である当該地表面或いは床面暖房装置１００が完成することになる。
此処で、本考案に於いて、当該パネル基板部１の当該長尺状の溝部４内に所定本数の当該線状或いは帯状の長尺状発熱体５を挿入嵌合させる操作が行われる時期は特に限定はされないが、好ましい具体例にあっては、１つ或いは複数個の当該パネル基板部１をコンクリート或いは合板や木材等で予め形成された適宜の床面或いは基底面４７上に適宜の固定手段４３、９５等により固定させた後に、当該線状或いは帯状の長尺状発熱体５を当該固定されたパネル基板部１の当該長尺状の溝部４の一方の開口端部４００から挿入することが好ましい具体例である。
【００３３】
つまり、本考案に於いては、当該トンネル状に形成された、当該パネル基板部１の当該長尺状の溝部４の空間領域１０内に所定の線状或いは帯状の長尺状発熱体５を挿入し、当該線状或いは帯状の長尺状発熱体５に適宜通電処理を行う事によって、当該地表面或いは床面暖房装置１００全体を加熱・発熱させるものである。
本考案に於いては、従来の同様の床暖房装置に於ける当該線状或いは帯状の長尺状発熱体５の使用構成とは、根本的に異なる構成を採用したものであり、特に、当該線状或いは帯状の長尺状発熱体５を必ず直線状体で使用するものであり、それによって、当該線状或いは帯状の長尺状発熱体５を、作業者が何らかの設備装置を使用することなく、当該空間領域１０内に、手作業により挿入操作が実行出来、且つ不良、不調となった当該線状或いは帯状の長尺状発熱体５或いは発熱作動が不可能となった当該線状或いは帯状の長尺状発熱体５を、それのみを単独に且つ自由自在に、然も、作業者が何らかの設備装置を使用することなく、当該空間領域１０内から手作業により当該空間領域１０から取り出す事が可能となる様に構成したものである。
【００３４】
本考案に於いては、係る新規な技術構成を採用する事によって、従来の技術に於いては、例え一本の当該線状或いは帯状の長尺状発熱体５でも故障し、作動不能となった場合には、当該床暖房装置全体を取り換える必要があったのに対し、本考案に於いては、当該地表面或いは床面暖房装置１００そのものはそのまま使用する事が可能であり、問題となった当該線状或いは帯状の長尺状発熱体５のみを取り換える事で、修理が完了すると言う優れた作用効果を発揮する事ができるのである。
更に、本考案に於いて使用される当該長尺状発熱体５は、従来の電気エネルギーを使用した線条発熱体、例えば、ニクロム線等を使用する場合に比べて、発熱温度調整のために、サーモスタット手段等の余計な制御回路部品を使用する必要がないので、コストの低減の構造の簡素化が実現される。
【００３５】
然も、本考案に於いて使用される当該線状或いは帯状の長尺状発熱体５は、低温下でも十分に発熱し、しかも発熱体が自己温度制御性があるため、サミスターなどの温度制御装置が要らないと言う特徴を有している。
一方、本考案に於いては、当該長尺状発熱体５の長さは、少なくとも前記した当該長尺状の溝部４の当該空間領域１０よりも若干長く設定されている必要があり、それによって、当該長尺状発熱体５を当該長尺状の溝部４の当該空間領域１０内に挿入配置した場合に、その一方の端部６３の一部が当該長尺状の溝部４の開放端部４００から外方に突出して配置されるので、当該長尺状発熱体５の端部６３を後述する適宜の電源手段２００と電気的に接合する際に便利となる。
【００３６】
本考案に於いては、当該長尺状の溝部４の当該空間領域１０を中空状の直線状管構造のトンネル状構造となし、これに当該長尺状発熱体５を挿入・引き抜き自在の構成としたことにより、当該長尺状発熱体５の寿命が５年前後である事を考慮すると、使用中の当該長尺状発熱体５の少なくとも一本でも、その発熱特性が劣化した場合には、当該発熱特性が劣化した当該長尺状発熱体５のみを当該空間領域１０から抜き出して取り外し、その代わりに、新規の当該長尺状発熱体５を空となった当該空間領域１０内に簡単に挿入する事が出来るので、本考案に係るトンネル式地表面或いは床面暖房装置１００全体を廃棄して新しい当該トンネル式地表面或いは床面暖房装置１００とそっくり取り換えると言う無駄でコストの掛る維持管理方法を採用しなくても済むと言う大きなコストメリットが得られる事になる。
【００３７】
更に、従来の技術に於いては、基本的に、当該蓄熱コンクリート基板部内部に当該長尺状発熱体５を、コストの低減と発熱効果を出来るだけ高く維持する目的で、ジグザグ状に幾重にも折り曲げて挿入しているため、当該長尺状発熱体５のみを当該コンクリート基板部から自在に取り外す事が不可能であり、従って、使用中の複数本の当該長尺状発熱体５の内、一本でも発熱効果が劣化した場合には、当該蓄熱コンクリート基板部自体をそっくりそのまま新品の蓄熱コンクリート基板部自体と交換しなければならないので、修繕費を含むランニングコストは大幅に増大していたのに対し、本考案では、係る問題点を極めて容易な構成により、効率的に然も安価に補修修理が出来ると言う著しい作用効果を達成出来るのである。
尚、本考案に於いては、当該長尺状発熱体５の発熱特性値を適宜の時間間隔で測定し、当該長尺状発熱体５の取り換え時期を早期に発見して、故障が顕出される前に、早めに補修修理を行う事が望ましい。
【００３８】
本考案に於いては、当該パネル基板部１は、適宜の材料で形成された当該基底面部４７の表面部に直接的に或いは要すれば適宜の結合固定部材４３を介して、適宜の接合手段９５を使用して固定配置する事が好ましい具体例であるが、当該接合手段９５は特に限定されるものではないが、例えば、当該基底面部４７の表面部と当該パネル基板部１の裏側或いは当該パネル基板部１に設けられた当該保護部材７の裏面側との間に適宜の接着剤を塗布して固定接合するものであっても良い。
更に、本考案に於いては、当該基底面部４７が金属或いはコンクリートで形成されている場合には、当該基底面部４７と当該各パネル基板部１との接合は、接着材を用いる場合が多く、それが木材である場合には、接着材のほか、ネジや釘打ち手段９５も使用されるものである。
【００３９】
一方、当該複数個の当該パネル基板部１を二次元的に隣接して配置して、トンネル状部を含む地表面或いは床面暖房装置１００を形成する場合には、上記接合手段９５のほか、当該パネル基板部１の下端部周縁部に側断面形状が、例えばＬ字型をした適宜の結合固定部材４３を適宜の個数固定して設け、係る結合固定部材４３を介して、適宜のボルト・ナット、螺子或いは公知の結合技術を使用して、当該基底面部４７に固定処理する事が可能である。
当該結合固定部材４３は、当該パネル基板部１に於ける当該長尺状の溝部４の中心軸線の配列方向に平行する長尺辺９の側壁面３１２，３１３の下方部に少なくとも一個、好ましくは複数個所定の間隔を介して取付るものである事が好ましい具体例である。
【００４０】
係る結合固定部材４３は、特に、当該パネル基板部１に於ける、当該長尺状の溝部４の中心軸に対して平行に形成されている側壁面部３１３及びそれと対応する他方の側壁面部３１４の下端部に沿って設けられるものである事が好ましく、その理由は、後述する様に、当該パネル基板部１を複数個隣接して配列するに際し、当該空間領域１０の中心軸方向への隣接配置は、当該長尺状の溝部４の中心軸が相互に一致する方向に連続的に配置するものであって、それぞれの接合面は、間隔を開けずに直接接合固定する手段を採用する事が望ましいのに対し、それと直交する方向への配列は、それぞれの当該パネル基板部１に於ける側壁面部３１２，３１３が存在することから、間隔をあけても技術的な問題はなく、固定作業も容易に遂行可能である。
尚、当該パネル基板部１の当該結合固定部材４３の配置部位は、図８（Ｂ）乃至図８（Ｅ）に示す様に、隣接する当該パネル基板部１同士間でずらせて設けられている事が望ましい具体例である。
【００４１】
本考案に係る当該パネル基板部１を適宜の基底面部４７に固定する方法として、上記した具体例を説明したが、更に付言するならば、本考案に於いては、一個の当該パネル基板部１のみを所定の当該基底面部４７の表面に固定する場合と、後述する様に、複数個の当該パネル基板部１を二次元的に平面状に隣接配置して固定する場合とがあるが、後者の場合に於いては、上記した通り、当該複数個のパネル基板部１をその長尺状の溝部４の中心軸線が一致する様に、平面上で縦列状に隣接接合配置する部分とそれと同時に、当該パネル基板部１の当該長尺状の溝部４の中心軸線と直交する方向に平面上で緯列状に隣接接合配置する部分との混合形式で配置したものを固定処理するものであるが、何れの場合でも、当該天井部２の外側表面部から当該天井部２を貫通して、当該パネル基板部１が配置されている当該基底面部４７に向けて、ネジ或いは釘等の接合固定部材９５をねじ込み或いは打ち込みして固定する場合に、例えば、施工作業員が当該個々のパネル基板部１の天井部２の適宜の部位の表面上から、当該天井部２と当該支持部材３及び要すれば当該保護部材７とを一気に貫通する様に、適宜の釘部やネジ部等の接合固定部材９５を打ち込む際に、誤って、当該釘部やネジ部等の接合固定部材９５を当該長尺状の溝部４が配置設定されている部位に打ち込む危険性があり、その場合には、当該釘部９５が当該長尺状の溝部４内に入り込み、後述する様に、後工程で、当該長尺状の溝部４内に当該線状或いは帯状の長尺状発熱体５を挿入操作を行う場合に障害となり、当該線状或いは帯状の長尺状発熱体５をスムーズに当該長尺状の溝部４内に挿入する事が不可能となるほか、既に当該パネル基板部１の当該長尺状の溝部４内に、当該線状或いは帯状の長尺状発熱体５が挿入されている場合には、当該線状或いは帯状の長尺状発熱体５を破損させてしまうと言う重大な問題が発生することになる。
【００４２】
その為、本考案に於いては、係る危険を回避する為に、当該作業員が、釘部やネジ部等の接合固定部材９５を当該方法に従って打ち込み作業を実行するにあたり、当該長尺状の溝部４が配置設定されている部位には、当該ネジ部や釘部等の接合固定部材９５を打ち込まない様に、当該長尺状の溝部４の存在する位置を予め作業者に報知させる目的で、図９に示す様に、当該パネル基板部１の当該天井部２の外表面１０３に於いて、平面から見て、当該長尺状の溝部４が存在する部位と対応する部位に適宜の色（例えば赤色や黄色等）を有する長尺状の標識部９６を当該長尺状の溝部４の配列方向に沿って取り付けておくか、適宜のインク或いは塗料を使用して印刷・塗布しておくことも望ましい具体例である。
【００４３】
又、上記具体例とは異なり、当該パネル基板部１の当該長尺状の溝部４の配置部位を除く領域部に、予め所定の大きさを有する当該接合固定部材９５をねじ込むか打ちこむ為の指示部を兼ねた開口部９７を複数個配置形成しておく事も好ましい具体例である。
此処で、本考案に於いて使用される当該パネル基板部１のユニット構造の構成例を図１１（Ａ）乃至図１１（Ｆ）に示す。
つまり、本考案に於いては、例えば、それぞれのフレームサイズは、１８００×９００ｍｍ、９００×９００ｍｍ、１８００×４５０ｍｍ、３００×４５０ｍｍ、１８００×３００ｍｍ等のパターンが代表的なものである。
勿論、本考案に於いては、これよりも長い長さや幅を持ったユニットを作成する事も可能である事は言うまでも無い。
図１１に於ける各図面に於ける、一点鎖線部分は、当該パネル基板部１内部で、当該長尺状の溝部４が形成されている部分を示している。
【００４４】
本考案に於ける上記具体例に於いては、当該長尺状の溝部４の設定本数は1本の場合と３本となって場合を示しているが、これを２本以上任意の数に設定する事は自由である。
即ち、本考案に於ける最終的目的は、所定の面積を持つ領域に理想的な地表面或いは床面暖房装置１００を形成するものであるから、その為に、ユニット状に形成された当該パネル基板部１を複数個準備すると同時に、隙間用に準備された別のユニット状のパネル基板部１を含めて、それら複数個の当該パネル基板部１を、相互に隣接配置して二次元的に組み合わせ配置させ、大型の面状暖房装置とした地表面或いは床面暖房装置１００である。
此処で、本考案に於ける当該複数個のパネル基板部１を、相互に隣接配置して二次元的に組み合わせ配置させて形成された当該大型の面状暖房装置である地表面或いは床面暖房装置１００の具体的構成例を、図１２（Ａ）乃至図１２（Ｃ）に示す。
【００４５】
即ち、当該各図に於いて、複数個の当該パネル基板部１、１’、１”・・・は、それぞれ相互に隣接配置されて当該大型の面状暖房装置である地表面或いは床面暖房装置１００を形成している。
尚、上記各具体例に於いては、当該パネル基板部１に於ける当該長尺状の溝部４の中心軸方向に隣接配置される複数個の当該パネル基板部１にあっては、当該線状或いは帯状の長尺状発熱体５が、挿入・,引き抜き自在に嵌入せしめられる当該個々の長尺状の溝部４の中心軸線同士が一致し、それによって、当該長尺状の溝部４が直線状に貫通されて形成される様に組み合わせ配置されている事を特徴とするものである。
尚、図１２に於ける点線部は、当該長尺状の溝部４の配列位置を個別に示したものである。
【００４６】
上記した本考案に係る具体例に於いては、当該複数個のパネル基板部１が当該長尺状の溝部４の中心軸線を一致させる様に隣接配置された構成部分の長さ（ＬＬ）は、その用途により異なるが、３ｍから３０ｍｍとなるものもあり、長いものとしては、数百ｍもの長さに設定される場合もある。
又、図１２に於いて符号７０として表示されている部分は、後述する様な、適宜の制御手段を含む電源手段であることを示している。
つまり、本考案に係る当該大型面状暖房装置である当該地表面或いは床面暖房装置１００は、図１２（Ａ）、図１２（Ｂ）及び図１２（Ｃ）にそれぞれ示されている通り、上記した複数個の選択された同一規格若しくは相互に異なる規格を有する当該パネル基板部１が相互に適宜のパターンの下に隣接配置されて二次元的に組み合わせ接続配置されて所望の暖房を必要とする面積を確保出来る様に構成されているものである。
【００４７】
係る具体例に於いては、当該複数個の当該パネル基板部１を組み合わせて隣接配置するに際し、個々の当該パネル基板部１に於けるそれぞれの当該長尺状の溝部４の中心軸線が、隣接配置されている他の当該パネル基板部１に於ける当該長尺状の溝部４の中心軸線と完全に一致する様に配置し、一連の直線状をなす長い空間領域（トンネル部）１０が形成される様に配列する事が望ましい。
又、図１３は、本考案に係る具体例の一つとして、当該複数種類のパネル基板部１の中から、図１１に示す１８００ｍｍ×９００ｍｍのユニット部材１を４枚と、９００ｍｍ×９００ｍｍのユニット部材１’を４枚とを選択し、それらを、図１３に示す様に、相互に二次元的に隣接配置して１０畳分の面積を有する暖房装置１００を形成したものである。
尚、上記選択されたそれぞれのユニット部材である当該パネル基板部１には、それぞれ、当該線状或いは帯状の長尺状発熱体５を挿入可能に構成された当該長尺状の溝部４が３本づつ相互に平行に配置されているものである。
【００４８】
本考案に於いては、当該地表面或いは床面暖房装置１００を制作した後、図１３に示す様に、その近傍に適宜の電源手段７を配置し、当該地表面或いは床面暖房装置１００に設けられたそれぞれの当該長尺状の溝部４の空間領域の内部に、２．７ｍよりも若干長めの長さにそれぞれ切断調整された当該線状或いは帯状の長尺状発熱体５を、当該パネル基板部１’の端縁部５９に設けられた当該長尺状の溝部４の開口部４００から手作業により当該溝部４の開口部からその内部空間部１０に向けて挿入し、且つ当該線状或いは帯状の長尺状発熱体５の端部、好ましくは電極５１，５２、或いは要すれば、当該電極５１，５２のそれぞれに先端部に取り付けた適宜の着脱自在に構成されたコネクタ部５５，５６の一部或いは全部を、例えば、図７（Ａ）に示す様に、当該端縁部５９面から外方に向けて突出させておく事が望ましい具体例の一つである。
【００４９】
係る構成を取ることにより、当該線状或いは帯状の長尺状発熱体５の後各電極線５１、５２を当該パネル基板部１’の近傍に設置された当該適宜の電源手段７０と容易且つ迅速に然も正確に接続させたり、分離させたりすることが可能となる。
【００５０】
次に、本考案に係る当該パネル基板部１の一具体例に於けるスペックの例を、図１０を参照しながら説明する。
即ち、図１０（Ａ）及び図１０（Ｂ）に示される通り、当該パネル基板部１は、縦・横の寸法が９００ｍｍ×９００ｍｍに設定されており、且つ２０ｍｍの幅に設定された４本の当該長尺状の溝部４が相互に２１０ｍｍの間隔を介して平行に形成されている。
一方、本考案に係る当該パネル基板部１の断面構成に関する拡大図が図１０（Ｃ）に示されており、当該パネル基板部１に於いては、前記した当該保護部材７の下面表面部に適宜の防水シート９８を添着した例を示しており、具体的には、全体の厚みは１２ｍｍに設定されており、当該天井部１の厚みが０．５ｍｍ、当該支持部材３の厚みが９ｍｍ、当該保護部材７の厚みが１．８ｍｍ乃至２．０ｍｍに設定され、且つ当該防水シート９８の厚みが０．５ｍｍに設定されている。
【００５１】
更に、本考案に於いては、当該パネル基板部１に於ける当該天井部２の外面表面部には、遠赤外線を放射する材料が塗布されている事も望ましい具体例であり、具体的には、石英、蛍石、トルマリン等の熱を受けて遠赤外線を放射する機能を有する材料を微細に砕石した粒子を含む塗料を当該天井部２の外面表面に焼き付け印刷方式で塗布し、遠赤外線放射層４４を形成するものであり、これによって、当該パネル基板部１の外表面である当該天井部２の外表面１０３から遠赤外線を含む熱分が放射される事になる。
一方、本考案に於いては、当該基底面部４７上に適宜の接合固定手段４３，９５等を介して固定せしめられた当該一個若しくは複数個のパネル基板部1に於ける当該天井部２の外面表面部１０３には、直接或いは当該遠赤外線放射層４４の上に、クッション性や、強度や耐摩耗性、若しくは熱伝導性の大なる主として合成樹脂成分材料で構成された上部被覆層４６が設けられてもよく、或いは、木材で構成されるか或いは合成樹脂材料で構成されたプラスチックタイルの様な床表面材を積層配置したものであってもよい。
【００５２】
更には、当該天井部２の外面表面部に、大理石や蛍石、トルマリン等の鉱物材料で、遠赤外線を放射する材料で構成された上部被覆層４６が設けられているものであってもよい。
更に、本考案に於いては、当該パネル基板部1に於ける当該天井部２の外面表面部１０３に、直接適宜の厚みを持った土砂層を搭載する事も可能であり、これによって、屋内或いは屋外の農耕作業地の一部として本考案を使用する事が可能となる。
以下に、本考案に係る当該地表面或いは床面暖房装置１００に於ける、当該それぞれの線状或いは帯状の長尺状発熱体５と適宜の正極・負極からなる電源線及び適宜の制御手段を含む電源手段７０との配線接続の施工方法に関する具体例を図１４及び図１５を参照しながら詳細に説明する。
【００５３】
即ち、本考案に於ける当該パネル基板部１の施工方法としては、特に限定されるものではないが、例えば、上記した複数個の当該長尺状の溝部４を所望の本数、所望の間隔で図１乃至図３に例示する方法で当該支持部材３内に複数本の当該長尺状の溝部４を配置形成したパネル基板部１を所定の工場内で製造し、これを所定の個数、施工現場に搬送し、所望の設計に沿って、当該基底面部４７上の所定の部位に配置固定した後、当該それぞれのパネル基板部１の個々の当該長尺状の溝部４内部に所望の当該線状或いは帯状の長尺状発熱体５を手作業によって作業員により挿入し、その後、当該パネル基板部１の個々の当該長尺状の溝部４内部に挿入された当該個々の線状或いは帯状の長尺状発熱体５の端部に配置されているそれぞれの電極５１，５２を、作業員の手作業によって、当該パネル基板部１の表面或いはその近傍に設けられた電源手段７０と適宜のコネクター手段７８を介して接続する操作を行ってその施工を完了させるものである。
【００５４】
本考案に係る当該電源手段７は、当該パネル基板部１の適宜の端縁部の近傍で、当該パネル基板部１の側壁面５９或いはその天井部２の一部に直接接合して配置形成されているものであっても良く、或いは、当該側壁面５９或いはその天井部２と非接触の形で配置形成されていても良い。
本考案に於ける当該電源手段７０の構成としては、例えば、図１４に示す様に、適宜の外部電源と接続された直流電源部７１と、当該直流電源部７１から延展された正電極線部７２と負電極線部７３と、当該各電極線部から当該複数の線状或いは帯状の長尺状発熱体５に於ける個々の電極線５１と５２とに電力を供給する分岐部７９を含む複数個のスイッチング部７７と、当該スイッチング部７７に接続されている、当該正電極線部７２と負電極線部７３とを当該電極線５１と５２とを個々に接続する為の着脱自在に接続可能に構成された適宜のコネクター部７８と、当該個々のスイッチング部７７のＯＮ／ＯＦＦ動作を個別に制御する為に、当該個々のスイッチング部７７と個別的に接続されている制御回路部７４と、当該制御回路部７４に接続されているタイマー手段７５並びに当該制御回路部７４の動作を制御する制御プログラムが内蔵されている記憶手段７６とから構成されている事が望ましい具体例である。
【００５５】
本考案に於ける当該電源手段７０の配置例としては、図１４に示す様に、所定の当該パネル基板部１の一方の端縁部５９に隣接して配置される事が望ましい具体例であり、又、場合によっては、当該電源手段７０を当該パネル基板部１に於ける当該天井部２の一部に配置する事も可能である。
上記した何れの具体例に於いても、当該線状或いは帯状の長尺状発熱体５の一方の端部に形成される当該電極線５１と５２は、作業者が手作業で当該コネクター手段７８を介して、当該電源手段７０と接続させると共に、当該制御回路部７４にも接続させるものである。
【００５６】
処で、本考案に於いて使用される当該線状或いは帯状の長尺状発熱体５は、当初、電力が最初に供給された段階では、一時的に大量の電力を消費する特性があり、以後通常の発熱動作を実行している間は、一定の安定した少量の消費電力を使用する特性を有している。
その為、本考案に於ける様に、通電開始時に複数個の当該線状或いは帯状の長尺状発熱体５に同時に通電を開始すると、複数個の当該線状或いは帯状の長尺状発熱体５がその瞬間、それぞれが大量の電力を消費するので、そこで大きな電圧降下が発生し、電力の供給が不安定となり、当該システムの動作が正常に機能しない事態や照明のちらつきや暗度化が発生する危険が存在する。
【００５７】
その為、本考案者は、鋭意検討した結果、本考案に係る当該パネル基板部１をその稼働停止状態から次の稼働状態に移動させる際に、当該パネル基板部１の当該支持部材３内に配置されている全ての或いはその一部の当該長尺状の溝部４内に挿入されている全ての当該線状或いは帯状の長尺状発熱体５に同時に所定の電圧を印加するのではなく、先ず第１番目の（その配置されている部位は無関係に順次一つづく選択する事が望ましい）当該長尺状の溝部４内に挿入されている第１の当該線状或いは帯状の長尺状発熱体５のみに所定の電圧を印加した後、当該線状或いは帯状の長尺状発熱体５の消費電力が顕著に高騰する時期を経過した後で、当該線状或いは帯状の長尺状発熱体５の消費電力が略安定した状態に到達する間、第２の当該線状或いは帯状の長尺状発熱体５を含む他の全ての当該線状或いは帯状の長尺状発熱体５に対する電力供給は遮断状態に維持しておき、当該第１の線状或いは帯状の長尺状発熱体５の消費電力が略安定した状態に到達した後に、当該第１の線状或いは帯状の長尺状発熱体５に対する電力の供給は維持したまま、第３以降の全ての当該線状或いは帯状の長尺状発熱体５に対する電力供給は遮断状態に維持した状態で、選択された当該第２の線状或いは帯状の長尺状発熱体５に対して、所定の電力供給を開始し、その後、当該第２の線状或いは帯状の長尺状発熱体５に於ける当該消費電力が略安定した状態に到達した後、当該第１と第２の線状或いは帯状の長尺状発熱体５に対する電力の供給は維持したまま、当該第４以降の全ての当該線状或いは帯状の長尺状発熱体５に対する電力供給は遮断状態に維持しておき、当該第３の線状或いは帯状の長尺状発熱体５に対して、所定の電力供給を開始する様にし、以下同様の操作を繰り返して、逐次、使用されている全ての当該線状或いは帯状の長尺状発熱体５を所定の遅延時間間隔で、順次電圧供給を開始する様に制御する逐次通電方式を採用する事が望ましい具体例である事が判明した。
【００５８】
本考案に於ける当該個々の線状或いは帯状の長尺状発熱体５に対して、所定の遅延時間間隔で、順次電圧供給を開始する様に制御する逐次通電方式は、例えば、図１４に示す当該制御回路部７４に於いて、当該線状或いは帯状の長尺状発熱体５に通電を開始する時刻を当該タイマー手段７５からの時刻情報から検出して判断し、それと同時に、当該記憶手段７６に内蔵されている制御プログラムの中から、所望の遅延時間により、当該スイッチング部７７を逐次起動される様に構成されている特定の制御プログラムを選択し、当該選択されたプログラムを使用して、当該第１番目から第ｎ番目迄の当該個々のスイッチング部７７を、当該選択された所定の遅延時間間隔で、順にＯＮ状態に切り替えてゆくことで実行されることになる。
【００５９】
本考案に於いては、最初に当該線状或いは帯状の長尺状発熱体５の一つに電力が供給された時点から当該制御回路部７４によって、当該所望の遅延時間を介して、順次他の当該線状或いは帯状の長尺状発熱体５に通電を開始して行き、最後の当該線状或いは帯状の長尺状発熱体５に通電が開始されて当該最後の遅延時間が経過した時点迄の時間間隔を電力供給初期駆動時間と称している。
即ち、本考案に於ける他の具体例としては、当該パネル基板部１に於ける当該電源手段７０には、それぞれの当該線状或いは帯状の長尺状発熱体５の一端部５１，５２が個別的に接続されており、所望の電力が当該線状或いは帯状の長尺状発熱体５の一つに最初に供給された時点から所望の初期駆動時間の間に於いて、当該複数本の線状或いは帯状の長尺状発熱体５のそれぞれを、所望の遅延時間を介して、順次に当該電力供給電源７２，７３と接続させる様に機能する長尺状発熱体部逐次個別駆動制御手段７４が設けられている事が望ましい具体例である。
【００６０】
尚、本考案に於いて、当該パネル基板部１又は、当該面状暖房装置１００を稼働させる必要のない場合には、当該電源部７０を遮断しておく事は当然のことであり、それを再度、再開させる場合には、再び上記した接続制御操作が作動する事になる。
次に、本考案に係る上記の様な具体例を基本とする当該地表面或いは床面暖房装置１００のより具体的な施工例を図１５及び図１６を参照しながら詳細に説明する。
【００６１】
即ち、本考案に於いて、当該地表面或いは床面暖房装置１００を所定の室内或いは講堂や体育館等の屋内施設内部に設置施工する場合には、当該室内或いは屋内施設の所望の壁部３００に近接した床部分に、当該パネル基板部１内の当該支持部材３に設けられた当該長尺状の溝部４内部に当該線状或いは帯状の長尺状発熱体５を挿入したり、そこから引き抜いたりするための操作を実行するために必要な作業用空間領域３０２が設けられる事が望ましい事具体例である。
【００６２】
より具体的には、当該本考案に係る当該地表面或いは床面暖房装置１００としては、当該複数個のパネル基板部１が、適宜の当該基底面部４７の表面に、略矩形状に隣接配置されて構成されたパネル基板部１群に於ける、当該複数本の長尺状発熱体５の当該配線接続用コネクタ部材５５，５６が外方に突出せしめられている側の当該パネル基板部１群の端縁部側５９の側面の外方部に形成される空間部３０２に、当該長尺状発熱体５を当該パネル基板部１に形成された当該長尺状溝部４内に挿入させるか引き抜きする為、若しくは、当該配線接続用コネクタ部材５５，５６を電源用配線７２，７３に設けられた別の接続用コネクタ部材５７，５８とを接続させるための操作を実行する為の作業及び点検作業を行うための空間領域部３０２が設けられているものである。
【００６３】
更に、上記具体例について詳述するならば、図１５に示す様に、当該電源部７０と当該線状或いは帯状の長尺状発熱体５のリード線５１及び５２との接続部は、所望の室内或いは施設内に於ける端部であって、当該部位における壁部３００と当該基底部４７との交差部に設けられる事が好ましい具体例である。
つまり、本具体例に於いては、当該所望の室内或いは施設内の当該基底部４７と当該壁部３００との交差部近傍であって、当該基底部４７の表面上で、且つ当該壁部３００に沿って２本の根太と称される保持材部３０１を所定の間隔を開けた状体で相互に平行となる様に配置固定し、その間隙部を当該リード線接続通路を兼ねた、上記線状或いは帯状の長尺状発熱体５の当該長尺状の溝部４内への挿入操作或いは引き抜き操作或いは点検操作として利用出来る空間部、つまり作業用空間領域３０２として形成した後、当該リード線接続通路兼当該作業用空間領域３０２を、適宜の被覆材３０４で被覆保護するものである。
当該被覆材３０４は、特にその構成材料は特定されるものではないが、例えば、最終段階で、当該パネル基板部１の上面に一般的に配置される大理石等の天然石材や合成樹脂、木材或いは合板材、床タイル等から成る床材４６と同じものを使用する事が望ましい。
【００６４】
又、当該作業用空間領域３０２内には、図１５及び図１６に示す様に、当該線状或いは帯状の長尺状発熱体５の先端部から突出されている当該リード線５１及び５２とその先端部に取付られた第１のコネクター部５５、５６が予め配設されていると同時に、当該正・負の電源線部７２、７３と当該個々の電源線部７２、７３の少なくとも一部に設けられている分岐部分７９から分離された分岐配線部８６とその先端部に取り付けられ、当該第１のコネクター部５５、５６のそれぞれと個々に着脱自在に嵌合・分離出来る第２のコネクター部５７、５８とを含むコネクター部７８とからなるスイッチング部７７とが収納される事になる。
【００６５】
一方、その他の部分は、既に説明されている通り、所望の基底部４７の上に、複数個の当該パネル基板部１が相互に隣接して接続配置されており、その接続部の上面部１０３及び／又は下面部１０４には、必要に応じて設けられる、適宜の当該補助接合部材９０が貼り付けられており、更に、当該複数個のパネル基板部１のそれぞれの上面から、必要に応じて、当該パネル基板部１が配置されている当該基底面部４７に至る様に、釘打ち或いはねじ込み９５が行われている構造となっている。
又、本具体例に於いては、当該電源部７０は、当該壁部３００に近接して、当該適宜の被覆材３０４若しくは当該床材４６の上面に配置される事が望ましい具体例である。
【００６６】
本考案に係る当該地表面或いは床面暖房装置１００に於ける当該パネル基板部１は、工場、倉庫、オフィス建物等の基礎構成部の少なくとも一部、高速道路、空港施設、橋梁、屋内外の公共施設等の基礎構成部の少なくとも一部の表面材料として使用されるものであり、又、本考案に係る当該地表面或いは床面暖房装置１００は、その上に適度の厚みの土、砂利等を積層させて、特に寒冷地向けの室外或いは室内用の農耕作地とし使用されるものでもある。
即ち、本考案に係る当該パネル基板部１及び当該大型面状暖房装置１００は、何れも、  本考案に係る当該トンネル式地表面或いは床面暖房装置及び当該大型面状暖房装置はそれぞれが上記した様な、技術構成を採用している事から、従来技術の問題点を改良し、構成が簡易で、軽量で、且つ設置作業が容易であり、然も、設計や施工並びにそれらの保全や修理が容易かつ簡易であり、更に当該施工・維持管理に要する費用が安価であると言う効果を発揮するものである。
【００６７】
本考案に於いては、予め工場にて複数種類のユニット部材を製造しておき、所望の暖房を必要とする面積とその形状に合わせて、必要な種類の当該ユニット部材を必要な数だけ施工現場に搬送し、そこで、重機や特殊な施工機器を使用することなく略作業員の手作業のみで、施工操作を完了する事ができるので、施工工期が短縮されることから、施工工事に要する経費が大幅に低減されるものである。
又、本考案に於いては、当該パネル基板部１を使用した当該地表面或いは床面暖房装置１００に於いては、その操作や維持管理が簡便で故障が少なく、長期間に亘って使用が可能であることから、維持管理に要するランニングコストが大幅に低減されると云う効果も得られるのである。
【００６８】
然も、本考案にあっては、当該線状或いは帯状の長尺状発熱体５は、稼動寿命が５年前後と比較的短いので、従来技術に於いては、当該線状或いは帯状の長尺状発熱体５が故障或いは特性不良の状態に陥った場合には、当該線状或いは帯状の長尺状発熱体５を内蔵する部品、部材そのものを全面的に、そっくり新品と交換する必要があり、コスト高を来していたのに対し、本考案においては、当該パネル基板部１やそれを使用して構成された当該地表面或いは床面暖房装置１００そのものを全面的に破壊し、新品と全面的に交換する事は不要であって、単に、故障或いは特性不良の状態に陥った当該線状或いは帯状の長尺状発熱体５のみを単独で取り出して、新品の線状或いは帯状の長尺状発熱体５と交換するだけで保全修理を完了する事が出来るので、工事期間が極めて短く、簡単で容易・迅速に施工工事を完了させる事が出来るので、工事費用は大幅に低減される他、その後のメンテナンスフリーの状態が得られると同時に当該維持管理コストを大幅に低減化させる事が可能となる
【００６９】
この事実は、本考案に係る地面或いは床暖房システムは、略永久的に使用可能である事を示すものである。
具体的には、本考案に於いては、例えば、当該線状或いは帯状の長尺状発熱体５の発熱特性値を適宜の時間間隔で測定し、当該線状或いは帯状の長尺状発熱体５の取り換え時期を早期に発見して、故障が顕出される前に、早めに補修修理を行う事が望ましい。
即ち、本考案に係る当該地表面或いは床面暖房装置１００にあっては、当該作業用空間領域３０２は、当該パネル基板部１群に於ける、当該複数本の線状或いは帯状の長尺状発熱体５の当該配線接続用コネクタ部材５５、５６が当該パネル基板部１の側面部５９から外方に突出せしめられている側の当該パネル基板１群の端縁部側の側面５９と、当該パネル基板部１群が敷設されている平面状領域である基底面部４７の少なくとも一部を取り囲む壁部３００との間に形成されている事が望ましい具体例である。
【００７０】
更に、本考案に於いては、当該作業用空間領域３０２の長尺状方向の長さは、当該パネル基板１部群に於ける、当該複数本の線状或いは帯状の長尺状発熱体５の当該配線接続用コネクタ部５５，５６が外方に突出せしめられている側５９の当該パネル基板部１群の端縁部側の側面部５９の全長に略等しい長さを有し、且つ当該作業用空間領域３０２の当該長尺状方向と直交する方向の長さは、２００乃至３００ｍｍであり、且つ当該作業用空間領域３０２の深さは、当該パネル基板部１の厚みと略同じ高さに設定されている事が、望ましい具体例である。
【００７１】
一方、本考案に於いては、当該作業用空間領域３０２内には、当該作業用空間領域３０２の長尺状方向に沿って、適宜の電源手段７０に接続された正極電源配線部７２と負極電源配線部７３とが相互に平行に配設されており、当該個々の正極電源配線部７２と負極電源配線部７３には、適宜の間隔で、分岐配線部７９が設けられており、且つ、当該個々の分岐配線部７９から導出されている当該分岐盃洗部８６の先端部には、当該パネル基板部１に於ける、所定の端縁部から突出せしめられている、当該線状或いは帯状の長尺状発熱体５の端部電極部５１，５２に接続された当該配線接続用の第１のコネクタ部材５５，５６の何れかと着脱自在に接合可能な別の第２のコネクタ部材５７，５８が取り付けられている事も好ましい具体例である。
【００７２】
更に、本考案に於いては、当該作業用空間領域３０２を被覆する適宜の材料で構成された蓋部材３０４が設けられているか、或るは、当該蓋部材３０４は、金属材料６１０で構成されているか或いは金属材料６１０が少なくともその一部に内蔵せしめられていて、且つ、当該蓋部材３０４の当該外部表面層は、通常の当該基底面部４７上に配置されている当該パネル基板部１に於ける当該外部表面層部を構成する材料と同一の材料で構成されている事も好ましい具体例である。
一方、本考案に於いては、上記した具体例に於ける当該蓋部材３０４を安定的に固定保持しておくと同時に、当該地表面或いは床面暖房装置１００に於ける保守点検作業の実行或いは、当該線状或いは帯状の長尺状発熱体５の交換処理操作を実行する際に、当該蓋部材３０４が、作業員により容易に且つ迅速に取り外し出来、且つ当該各作業終了後には、当該蓋部材３０４を再度簡単かつ容易に然も迅速に元の状態に戻す事を可能とする為に、当該蓋部材３０４は、当該作業用空間領域３０２内に設けられた適宜の磁性体６００の磁力の影響下で、当該作業用空間領域３０２の上面部に着脱自在に固定配置されている事も望ましい具体例である。
【００７３】
より具体的には、図１７に示す様に、当該作業用空間領域３０２の当該基底面部４７の一部に、適宜の磁石部材６００を固定配置させておくものである。
本考案に於いて使用される当該磁石部材６００の材質、形状、磁力の程度等は、特に限定はされないが、比較的磁力の強い磁石を使用する事が望ましく、その高さは当該パネル基板部１の厚み以下であれば良く、又、その平面形状或いは平面面積も特に規定する必要もないが、一具体例としては、図１７（Ａ）乃至図１７（Ｄ）に示す様に、直径が２５ｍｍで厚みが１２ｍｍの円形のドーナッツ型をした永久磁石６００を使用する事が望ましく、当該ドーナッツ型をした永久磁石６００の中心開口部６２０に適宜の釘或いはネジ６３０を貫通させて、当該作業用空間領域３０２の領域に対応する当該基底面部４７の表面に当該永久磁石６００を固定する様にしたものである。
【００７４】
即ち、本考案に於いては、当該蓋部材３０４は、当該作業用空間領域３０２内に設けられた適宜の磁性体６００の磁力の影響下で、当該作業用空間領域３０２の上面部に着脱自在に配置されている事が好ましい具体例の一つである。
更に、本考案に於いては、当該パネル基板部１に於ける当該天井部２の外表面部に設けられている当該外部表面層部４６と当該蓋部材３０４の外面表面層部４６１とは、面一状に配置されている事が好ましい具体例である。
一方、本考案に於ける当該地表面或いは床面暖房装置１００にあっては、当該作業用空間領域３０２内に配置されている当該個々の正極電源配線部７２と負極電源配線部７３が接続されている当該適宜の電源手段７１には、それぞれの当該線状或いは帯状の長尺状発熱体５に、所望の電力が最初に供給された時点から、所望の初期駆動時間の間に於いて、当該複数本の当該線状或いは帯状の長尺状発熱体５のそれぞれを、所望の遅延時間を介して、順次に当該電源手段７０と接続させる様に機能する長尺状発熱体部逐次個別駆動制御手段７４が設けられている事も望ましい具体例である。
【００７５】
本考案に於いては、当該長尺状の溝部４を中空状の直線状管構造のトンネル状構造となし、これに当該線状或いは帯状の長尺状発熱体５を挿入・引き抜き自在の構成としたことにより、当該線状或いは帯状の長尺状発熱体５の寿命が５年前後である事を考慮すると、使用中の当該線状或いは帯状の長尺状発熱体５の少なくとも一本でも、その発熱特性が劣化した場合には、当該発熱特性が劣化した当該線状或いは帯状の長尺状発熱体５のみを当該長尺状の溝部４から抜き出して取り外し、その代わりに、新規の当該線状或いは帯状の長尺状発熱体５を空となった当該長尺状の溝部４内に簡単に挿入する事が出来るので、本考案に係るパネル基板部１全体を廃棄して新しい当該パネル基板部１とそっくり取り換えると言う無駄でコストの掛る維持管理方法を採用しなくても済むと言う大きなコストメリットが得られる事になる。
【００７６】
従来の技術に於いては、基本的に、当該蓄熱コンクリート基板部内部に当該線状或いは帯状の長尺状発熱体５を、コストの低減と発熱効果を出来るだけ高く維持する目的で、ジグザグ状に幾重にも折り曲げて挿入しているため、当該線状或いは帯状の長尺状発熱体５のみを当該コンクリート基板部から自在に取り外す事が不可能であり、従って、使用中の複数本の当該線状或いは帯状の長尺状発熱体５の内、一本でも発熱効果が劣化した場合には、当該蓄熱コンクリート基板部自体をそっくりそのまま新品の蓄熱コンクリート基板部自体と交換しなければならないので、修繕費を含むランニングコストは大幅に増大していたのに対し、本考案では、係る問題点を極めて容易な構成により、効率的に然も安価に補修修理が出来ると言う著しい作用効果を達成出来るのである。
【００７７】
尚、本考案に於いては、当該線状或いは帯状の長尺状発熱体５の発熱特性値を適宜の時間間隔で測定し、当該線状或いは帯状の長尺状発熱体５の取り換え時期を早期に発見して、故障が顕出される前に、早めに補修修理を行う事が望ましい。
本考案に於いては、その為に、適宜の部位、好ましくは、当該線状或いは帯状の長尺状発熱体５と電源手段７との接続部位に於いて、当該線状或いは帯状の長尺状発熱体５に流れる電流或いは電圧若しくは当該線状或いは帯状の長尺状発熱体５の抵抗値等を適宜の間隔で測定し、所定の基準値と比較して、当該線状或いは帯状の長尺状発熱体５の所望の特性値の低下状況を検査する事が望ましい。
【００７８】
本考案に於いては、当該長尺状の溝部４の使用本数は特に限定されるものではなく、又当該長尺状の溝部４相互間の配列間隔も特に限定されるものではなく使用目的や使用場所、蓄熱保温条件等を勘案して適宜に決定する事が出来る。
更に、本考案に於いては、当該パネル基板部１内に配置された当該長尺状の溝部４の全てに、当該線状或いは帯状の長尺状発熱体５を挿入しなくとも良く、例えば、当該並列状に配置された複数本の当該長尺状の溝部４の内、一本おきに当該線状或いは帯状の長尺状発熱体５を挿入し、その間の当該長尺状の溝部４には、当該線状或いは帯状の長尺状発熱体５を挿入しない様に構成する事も可能であり、当該方法は、本考案の使用目的や使用場所、蓄熱保温条件等を勘案して適宜に決定する事が出来る。
【００７９】
又、本考案に於いては、当該一本の長尺状の溝部４に一本の当該線状或いは帯状の長尺状発熱体５を挿入する事を基本とするものであるが、場合によっては、当該一本の長尺状の溝部４に２本或いはそれ以上の複数本の当該線状或いは帯状の長尺状発熱体５を挿入する事も可能である。
本考案に於いては、当該線状或いは帯状の長尺状発熱体１２は、適宜の剛性と適宜の柔軟性を有しているので、当該長尺状の溝部４の一方の開放端部５９から当該線状或いは帯状の長尺状発熱体５を容易に且つ迅速に効率良く手動で挿入したり抜き取ったりする事が可能であるので、現場に於いて特定の機器類を別途使用しなくとも、作業員が手作業にて、簡単且つ短時間で、当該線状或いは帯状の長尺状発熱体５の当該長尺状の溝部４への挿入或いは抜き取り操作が実行出来るので、然も、当該パネル基板部１そのものは、破壊したり取り替えることなく、そのまま使用する事が可能であるので、施工コストを含めて維持管理に関するコストの大幅な低減が可能となる。
【００８０】
尚、本考案に於ける当該パネル基板部１或いは、当該大型面状暖房装置１００に於いて、当該長尺状の溝部４に当該線状或いは帯状の長尺状発熱体５を挿入した後、当該長尺状の溝部４の当該線状或いは帯状の長尺状発熱体５を挿入した方の端部５９と反対側の端部５９’は、図１２に示す様に、金属製或いは合成樹脂製若しくはゴム系樹脂等で構成された適宜の形状から成る蓋部材１０２を挿入して閉鎖しておくことも望ましい具体例である。
【００８１】
処で、本考案に於ける当該パネル基板部１に於いては、図８に示す様に、当該パネル基板部１を適宜のコンクリート、合板材を含む木材、プラスチック材或いは金属材料等で形成される平坦面からなる基底面部４７に固定して使用するものであるが、基本的には、適宜の接着剤を使用して圧接固定するか、適宜のくぎ或いはネジ又はボルト等の適宜の固定手段９５を使用して、当該トンネル状部を含む地表面或いは床面暖房装置１００の本体部分を構成する当該パネル基板部１の当該天井部２の外表面部の上側から、或いは、当該本体部の側壁部から斜めの方向に、釘打ち若しくはネジ打ち９５して接合固定するか、或いは、図８に示す様に、当該パネル基板部１の側面部に適宜間隔で配置されたＬ字型の固定部材４３を使用して当該パネル基板部１を当該基底面部４７上に固定する構成を採用するものであっても良い。
【００８２】
又、当該基底面部４７がコンクリートで構成されている場合には、完全な水平面を形成する為に、当該コンクリートの上表面にモルタル層を形成した調整面を形成しておく事が望ましい。
更に、当該基底面部４７が金属或いはコンクリートで形成されている場合には、当該基底面部４７と当該各パネル基板部との接合は、接着材を用いる場合が多く、それが木材である場合には、接着材のほか、ネジや釘打ち手段９５も使用されるものである。
【００８３】
係る結合固定部材４３は、特に、当該パネル基板部１に於ける、当該長尺状の溝部４の中心軸に対して平行に形成されている端縁部９の側壁面部３１３，３１４の下端部に沿って設けられるものである事が好ましく、その理由は、後述する様に、当該パネル基板部１を複数個隣接して配列するに際し、当該長尺状の溝部４の長手方向に沿った中心軸方向への隣接配置は、当該長尺状の溝部４の中心軸が相互に平行する方向に連続的に配置するものであって、それぞれの接合面は、間隔を開けずに直接接合固定する手段を採用する事が望ましいのに対し、それと直交する方向の配列形式は、それぞれの当該パネル基板部１に於ける側壁面部３１３，３１４が存在することから、間隔をあけても技術的な問題はなく、固定作業も容易に遂行可能である。
【００８４】
尚、当該パネル基板部１の当該結合固定部材４３の配置部位は、図８（Ｄ）に示す様に、隣接する当該パネル基板部１同士間でずらせて設けられている事が望ましい具体例である。
此処で、本考案に於いて使用される当該パネル基板部１のユニット構造の構成例を図９に示す。
つまり、本考案に於いては、例えば、それぞれのフレームサイズは、１８００×９００ｍｍ、９００×９００ｍｍ、１８００×４５０ｍｍ、３００×４５０ｍｍ、１８００×３００ｍｍ等のパターンが代表的なものである。
勿論、本考案に於いては、これよりも長い長さや幅を持ったユニットを作成する事も可能である事は言うまでも無い。
【００８５】
次に、本考案に於いては、当該パネル基板部１は、当該長尺状の溝部４内に所定の長さに設定された当該少なくとも１本の線状或いは帯状の長尺状発熱体５を挿入し、当該線状或いは帯状の長尺状発熱体５に適宜通電処理を行う事によって、当該パネル基板部１全体を加熱・発熱させるものである。
本考案に於いては、従来の同様の床暖房装置に於ける当該線状或いは帯状の長尺状発熱体５の使用構成とは、根本的に異なる構成を採用したものであり、特に、当該線状或いは帯状の長尺状発熱体５を必ず直線状体で使用するものであり、それによって、当該線状或いは帯状の長尺状発熱体５を、作業者が何らかの設備装置を使用することなく、当該長尺状の溝部４内に、手動により挿入操作が実行出来、且つ不良、不調となった当該線状或いは帯状の長尺状発熱体５、或いは発熱作動が不可能となった当該線状或いは帯状の長尺状発熱体５を、それのみを単独に且つ自由自在に、然も、作業者が何らかの設備装置を使用することなく、当該長尺状の溝部４内から手動により当該長尺状の溝部４から取り出す事が可能となる様に構成したものである。
【００８６】
係る構成を採用する事によって、従来の技術に於いては、例え一本の当該線状或いは帯状の長尺状発熱体５でも故障し、作動不能となった場合には、当該床暖房装置全体を取り換える必要があったのに対し、本考案に於いては、当該パネル基板部１そのものはそのまま使用する事が可能であり、問題となった当該線状或いは帯状の長尺状発熱体５のみを取り換える事で、修理が完了すると言う優れた作用効果を発揮する事ができるのである。
【００８７】
此処で、本考案に於いて使用する当該線状或いは帯状の長尺状発熱体５について説明するならば、本考案に於いて使用される当該線状或いは帯状の長尺状発熱体５はその構成は特に限定されるものではないが、例えば、図７に示す様に、一対の電極５１，５２の間に、炭素粒子と適宜の合成樹脂接着粒子とが混合された発熱層５３を配置して、それを適宜の絶縁性合成樹脂材料層５４で被覆した構造を有し、当該電極５１，５２を所定の電源に接続させて通電すると、当該発熱層５３が発熱するという構成の発熱体３を使用する事が望ましい。
【００８８】
上記した発熱体５は、当該合成樹脂粒子が温度によってその体積が変化する様に設計されている場合には、当該発熱層５３に対する通電量が変化するので、所謂、自己温度制御機能を有する線状若しくは帯状の線状或いは帯状の長尺状発熱体５（ＰＴＣ発熱線）として知られており、係る構成の線状或いは帯状の長尺状発熱体５を使用する事が望ましい。
然も、上記した通り、本考案に於ける当該線状或いは帯状の長尺状発熱体５は、特に、線状或いは帯状の長尺状発熱体を使用する事が必要であり、その形状も円形断面を有する線状体構造のものであっても良く或いは、扁平状の断面を有する帯状の発熱体で有っても良い。
【００８９】
更に、本考案に於いて使用される当該線状或いは帯状の長尺状発熱体５は、従来の電気エネルギーを使用した線条発熱体、例えば、ニクロム線等を使用する場合に比べて、発熱温度調整のために、サーモスタット手段等の余計な制御回路部品を使用する必要がないので、コストの低減の構造の簡素化が実現される。
然も、本考案に於いて使用される当該線状或いは帯状の長尺状発熱体１２は、低温下でも十分に発熱し、しかも発熱体が自己温度制御性があるため、サミスターなどの温度制御装置が要らないと言う特徴を有している。
【００９０】
一方、本考案に於いては、当該線状或いは帯状の長尺状発熱体５は、少なくとも前記した当該長尺状の溝部４よりもその長さが長く設定されている必要があり、それによって、当該線状或いは帯状の長尺状発熱体５を当該長尺状の溝部４内に挿入配置した場合に、その一方の端部の一部が当該長尺状の溝部４の開放端部５９から外方に突出して配置されるので、当該線状或いは帯状の長尺状発熱体５の端部を後述する適宜の電源手段７０と電気的に接合する際に便利となる。
更に、本考案に於ける当該電源手段７０の配置例としては、図１４に示す様に、所定の当該地表面或いは床面暖房装置１００の一方の端縁部５９に隣接して配置される事が望ましい具体例であり、又、場合によっては、当該電源手段７０を当該地表面或いは床面暖房装置１００に於ける当該パネル基板部１の当該天井部２の一部に配置する事も可能である。
【００９１】
一方、本考案に於ける、更に別の態様に於いては、図１４に示す様に、相互に隣接配置される当該個々のパネル基板部１、１’に於ける、当該長尺状の溝部４の中心軸線と直交する方向にある、相互に対向する側壁面部５９、５９’は、当該パネル基板部１の水平面と略直交した壁面が形成されているものを、当該長尺状の溝部４の中心軸線同士が直線状に一致する様に相互に当接して接合したものであっても良く、或いはその適宜の部位に、例えば、適宜所望の形状を持った突起部材や凹陥形状を持った溝部を形成しておき、その双方を嵌合させる様にして接合固定する事も好ましい具体例である。
【００９２】
又、本考案に於いては、複数個の当該パネル基板部１を、それぞれの当該長尺状の溝部４がその中心軸方向に一致する様に一体的に連続形状に構成される様に配置形成されるものであるが、係る方向に当該複数個の当該パネル基板部１を連続的に隣接配置する場合の個数は特に限定されるものではなく、特に、本考案に於いて使用される当該線状或いは帯状の長尺状発熱体５は、最大で６００ｍの長さ持って巻き取りリール上に巻き上げられて、製造販売されていることから、当該隣接配置される複数個の当該パネル基板部１の数は、一体的な連続した直線状の当該長尺状の溝部４の長さ（ＬＬ）が６００ｍを超えない長さ迄、連結結合させることが可能である。
本考案に於いては、当該線状或いは帯状の長尺状発熱体５は、その途中で別の当該線状或いは帯状の長尺状発熱体１２と接続させて更に長尺化されたものであっても使用し得る事は言うまでもない。
【００９３】
又、本考案に於いて使用される当該線状或いは帯状の長尺状発熱体５は、適度の硬性と適度の柔軟性を持っていることから、当該線状或いは帯状の長尺状発熱体５を当該長尺状の溝部４の一端部の開口部４００から作業員が手動にて、容易に当該長尺状の溝部４の最先端部まで挿入する事が可能であり、又その逆も可能である。
つまり、本考案に於いて使用される当該長尺状の溝部４内に配置されている当該線状或いは帯状の長尺状発熱体５は、何れも完全な連続状の線状体或いは帯状体である事を特徴とするものであり、その途中で折れ曲がったり、切断されているものではない。
【００９４】
更に、本考案に於ける一具体例である当該地表面或いは床面暖房装置１００に於ける当該制御回路部７４を含む当該電源回路部７０は、図１２に示す通り、当該複数個のパネル基板部１が、当該長尺状の溝部４の中心軸線方向に沿って隣接配置された当該大型面状暖房装置１００に於ける、長手方向の一方の端部面５９に近接して、一つ或いは複数個配置する事が可能である。  
尚、本具体例に於いても、当該地表面或いは床面暖房装置１００内に形成されている複数本の当該長尺状の溝部４の全てに、当該線状或いは帯状の長尺状発熱体５を挿入しなくても良いことは、先の具体例でも説明した通りである。
【００９５】
又、本態様に於ける上記具体例に於いては、当該複数個のパネル基板部１同士を接合固定部分は、相互に完全に当接させるものであっても良いが、当該パネル基板部１が温度によりその長さが伸縮する可能性があるので、当該当接部分には、適宜の間隔部を形成しておくことも望ましい具体例である。
更に、本具体例に於いては、当該パネル基板部１同士が相互に接合される部分の上表面部である当該天井部２の上外表面部１０３及び/又は当該保護部材７の下外表面部１０４に、当該パネル基板部１を当該基底面４７上に接合固定する以前及び/又はその後に適宜の柔軟性、強度を持った材料で構成された補助接合部材９０、例えば、アルミ製接着テープ等を取り付けておく事も好ましい具体例である。
【００９６】
一方、本考案に係る一具体例としては、図１４に示す当該地表面或いは床面暖房装置１００に於いては、複数個の当該パネル基板部１のそれぞれを個別に当該結合固定部材４３を使用し、所望のボルトや螺子若しくは釘等の接合手段を介して、当該基底部４７の表面に固定すると同時に、当該個々のパネル基板部１の当該天井部２の適宜の部位の表面上から、当該天井部２及び当該支持部材３とを貫通する様に、適宜の釘部９５を使用して打ち込み、それによって、当該パネル基板部１のそれぞれを個別に当該基底面部４７の表面に固定するものであっても良く、或いは、予め、複数個の当該パネル基板部１のそれぞれを、それぞれの当該長尺状の溝部４の中心軸が一致する様に、長手方向に相互に接続させた当該地表面或いは床面暖房装置１００の一部構成部材を、上記したと同じ様な方法で、当該結合固定部材４３を介して、当該基底部４７の表面に固定すると同時に、当該個々のパネル基板部１の当該天井部２の適宜の部位の表面上から、当該天井部２及び当該支持部材３とを貫通する様に、適宜の釘部９５を使用して打ち込み、当該基板部２の表面に固定する様にしたものであっても良い。
【００９７】
本考案に於いては、当該長尺状の溝部４の使用本数は特に限定されるものではなく、又当該長尺状の溝部４相互間の配列間隔も特に限定されるものではなく使用目的や使用場所、保温条件等を勘案して適宜に決定する事が出来る。
本考案に於いては、施工工事に必要な作業面積が大きければ大きいほど、経済的な効果を得る事が出来る。
又、本考案に於いては、当該パネル基板部１と当該大型面状暖房装置１００は、何れも、石油や灯油或いはガスを使用することなく、電力のみで駆動するので、火災の心配も無く、制御操作が容易であり、且つ、消費エネルギーに対する燃料代も大幅に低減できるのみならず、夜間には、深夜電力料金が利用できるので、その分、更に経済的効果が得られる事は明らかである。
【００９８】
更に、本考案に於いては、電流を使用するにも拘わらず、当該線状或いは帯状の長尺状発熱体１２から電磁波が発生することがないので、電磁波障害を心配する必要がないので、使用用途や使用場所の制限がなく汎用性がある事は明らかである。
更には、本考案に於いては、当該パネル基板部１と当該大型面状暖房装置１００の表面から、均一な発熱状態を顕出させると共に、効率的な熱エネルギーの利用から消費エネルギーに対するコストも低減化され、然も、発熱量を自由に調整する事も可能であることから、使用用途を大幅に汎用化させる事が可能となり、特に冬季の寒冷地域では、道路、屋根、橋梁、空港施設等の積雪防止、凍結防止、融雪装置として効果的に利用できる。
【００９９】
一方、本考案かかる当該パネル基板部１と当該地表面或いは床面暖房装置１００を屋内で使用する場合には、その加熱放熱形態は、従来の加熱方式と異なり、遠赤外線による輻射熱を利用した加熱方式であることから、所望の屋内での内部の空気温度の調整は、対流による拡散により実行されるものであって、当該屋内での内部の空気温度は、どの場所でもソフトに均一化され、更には、当該屋内に存在する人間を含む各種の動植物は輻射熱によってのみ加熱されるものであるから、当該屋内にある人間を含む各種の動植物から水分が脱水したり、当該屋内に存在する空気中から水分が脱水したりすることが無いので、人間に対しては、低温やけど等を含む障害の発生はまったくなく、又、当該動植物の育成に対して、従来では得られなかった、育成効果が達成されると共に、湿度管理は容易且つ簡素化され、当該屋内内部の室温及び／又は湿気管理操作が簡便となり、又維持管理に要するランニングコストも低減化されることになる。
【０１００】
従って、本考案は、例えば、ホテルのホールやロビー、病院の待合室、空港の待合室、オフィスビルやゴルフ場の食堂ホール、介護施設、保育園等の多くの施設、更には、テニス、サッカー、陸上競技、野球等の屋外での各種スポーツ施設等でも効果的に使用出来る暖房システムを構成する事が可能である。
一方、本考案に係る当該パネル基板部１及び当該大型面状暖房装置１００を農耕分野で使用する場合も可能であり、当該当該パネル基板部１及び当該地表面或いは床面暖房装置１００の上面に直接或いは適宜の間挿材を介して、適宜の厚さに土や砂等の土砂層を形成するとか、水耕栽培のフレーム枠等を配置することにより、路地表面の温度制御を容易に且つ経済的に制御する事が可能となるので、霜降り、凍結、霜柱等の発生の防止や家畜類の保温等に効果を発揮する事が出来ると同時に、維持管理費用を含めたランニングコストが大幅に低減できるという効果が有するものである。
【０１０１】
本考案に於いて関連する農産物としては、例えば、水耕栽培を含む、各種の栽培方式に基づく野菜、穀物、果物、樹木、花類等が含まれているものであり、一方、本考案に於いて関連する当該家畜類としては、例えば、牛、馬、豚、羊、山羊、兎等の動物、鶏、鴨等の家禽類、観賞魚を含む各種魚類及び貝類等が含まれるものである。
勿論、本考案に係る当該パネル基板部１及び当該地表面或いは床面暖房装置１００は、通常の気候を有する地域、例えば温暖地域や山岳地域でも使用出来る事は言うまでもないが、特に、寒冷地で使用される場合には、上記した通り、その経済的効果が絶大である事は特筆すべき事である。
【０１０２】
以下に、本考案に係る当該大型面状暖房装置１００を使用した場合に於ける、電気料金に関するランニングコストを、特定の具体例に付いて、実験した結果を詳細に説明する。
即ち、本考案に係る当該パネル基板部１の中から、図１１に示す１８００ｍｍ×９００ｍｍのユニット部材4枚と９００ｍｍ×９００ｍｍのユニット部材4枚と選択し、それらを、図１３に示す様に、相互に二次元的に隣接配置して１０畳分の面積を有する暖房装置８００を制作した。
尚、上記選択されたそれぞれのパネル基板部1は、それぞれ、当該線状或いは帯状の長尺状発熱体５を挿入可能に構成された当該長尺状の溝部４が３本づつ相互に平行に配置されているものであった。
当該暖房装置８００を制作した後、図１３に示す様に、その近傍に適宜の電源手段７０を配置し、当該暖房装置８００に設けられたそれぞれの当該長尺状の溝部４の内部に、２．７ｍの長さにそれぞれ切断調整された当該線状或いは帯状の長尺状発熱体５を挿入した後に、当該線状或いは帯状の長尺状発熱体５の端部に設けられている各電極線５１、５２を当該電源手段７０と接続し、当該暖房システムを完成させた。
【０１０３】
上記した具体例に於いて、１日１０時間、保温駆動させた場合の、電力消費量を計算すると以下の様になる。
即ち、本考案に係る当該具体例での電力消費量は、当該線状或いは帯状の長尺状発熱体５の１ｍ当たりの消費電力は５Ｗであり、使用されている当該線状或いは帯状の長尺状発熱体５の総延長距離は３２．４ｍであるから、当該発熱体５の総消電力は、３２．４ｍ×５Ｗ＝１６２Ｗであり、これを１日１０時間駆動することにより、１日当たりの消費電力は、１６２Ｗ×１０時間＝１６２０Ｗである。
【０１０４】
従って、１か月間(３０日間）の予想消費電力は、１６２０Ｗ×３０日＝４６．８ＫＷとなる。
従って、これを電気代(１ＫＷ＝２９円）として計算すると、１月当たりの予想電気代は、１４９６．８円／月となる。
この値は、同じサイズの床面積を暖房する従来の一般的な温水循環式暖房システムと比較すると、当該従来技術に於いては、３９００円／月であるので、本考案のシステムがかなり経済的である事が理解できる。
【符号の説明】
【０１０５】
１…パネル基板部
２…天井部
３…支持部材
４…長尺状の溝部
５…線状或いは帯状の長尺状発熱体
７…保護部材
８…支持部材の表面部
８’ …支持部材の裏表面部
９…端縁部、長尺辺
１０…空間領域
４３…結合固定部材
４４…遠赤外線放射層
４６…床材層、上部被覆層
４７…基底面部
５１、５２…電極線
５３…発熱層
５４…絶縁性合成樹脂材料層
５５、５６…コネクタ部材、第１のコネクタ部材
５７、５８…別のコネクタ部材、第２のコネクタ部材
５９、５９’…端縁部
６０…進入案内部材、キャップ部
６１…ガイド板
６２…案内部
６３…長尺状発熱体の一方の端部
６４…長尺状発熱体の反対側の端部
７０…電源手段
７１…直流電源部
７２…正電極線部
７３…負電極線部
７４…制御回路部
７５…タイマー手段
７６…記憶手段
７７…スイッチング部
７８…コネクター部
７９…分岐部
９０…補助接合部材
９５…釘部、接合固定部材
９６…カラー標識部
９７…開口部
１００…地表面或いは床面暖房装置
１０３…上表面部、天井部２の外表面
１０４…下表面部
３０１…根太、保持材部
３０２…作業用空間領域
３０４…適宜の被覆材・蓋部材
３１３…側壁面部
３１４…他方の側壁面部
４００…長尺状の溝部の開放端部、開口部
４０１…他方の開放端部
４６１…蓋部材の外面表面層部
６００…磁石部材
６１０…金属材料
６２０…本永久磁石の中心開口部
６３０…釘或いはネジ
【図１】
0003218862.tif 000003
【図２】
0003218862.tif 000004
【図３】
0003218862.tif 000005
【図４】
0003218862.tif 000006
【図５】
0003218862.tif 000007
【図６】
0003218862.tif 000008
【図７】
0003218862.tif 000009
【図８】
0003218862.tif 000010
【図９】
0003218862.tif 000011
【図１０】
0003218862.tif 000012
【図１１】
0003218862.tif 000013
【図１２】
0003218862.tif 000014
【図１３】
0003218862.tif 000015
【図１４】
0003218862.tif 000016
【図１５】
0003218862.tif 000017
【図１６】
0003218862.tif 000018
【図１７】
0003218862.tif 000019
【手続補正書】
【提出日】平成30年7月30日(2018.7.30)
【手続補正１】
【補正対象書類名】実用新案登録請求の範囲
【補正対象項目名】全文
【補正方法】変更
【補正の内容】
【実用新案登録請求の範囲】
【請求項１】
矩形状の平面形状を有し、且つ放熱性或いは熱伝導性の大なる材料で構成された板状部材からなる天井部と、当該天井部の下方面に積層配置されており、当該天井部の平面形状と同一の平面形状を有し、且つ保温性或いは蓄熱性若しくは断熱性を有する適宜の材料で構成された所望の厚みを有する支持部材とから構成されたパネル基板部であって、当該支持部材には、当該支持部材に於ける当該天井部に当接する表面部からその下方部に向かって、所定の深さを持ち、所定の幅を有する少なくとも一本の長尺状の溝部が、当該支持部材に於ける一方の長手方向と平行な方向に形成されているパネル基板部と、当該パネル基板部に於ける当該長尺状の溝部内部に挿入・引抜き自在に嵌合せしめられる少なくとも一本の線状或いは帯状の長尺状発熱体との組で構成されている発熱構造体を使用する事を特徴とする地表面或いは床面暖房装置。
【請求項２】
当該パネル基板部に於ける当該天井部の当該天井部と当接している一方の平面部とは反対側の平面部には、当該天井部の平面形状と同一の平面形状を有し、且つ、断熱性を有する適宜の材料で構成された所望の厚みを有する保護部材が設けられている事を特徴とする請求項１に記載の地表面或いは床面暖房装置。
【請求項３】
当該支持部材に設けられている当該長尺状の溝部は、当該パネル基板部に於ける当該天井部と当該保護部材とを連通させる様に構成されている事を特徴とする請求項２に記載の地表面或いは床面暖房装置。
【請求項４】
当該パネル基板部に於ける、当該長尺状溝部と平行する方向の長さは、３００ｍｍ乃至１０００００ｍｍの範囲であり、又、当該パネル基板部に於ける、当該長尺状溝部と直交する方向の長さは、３００ｍｍ乃至１８００ｍｍの範囲である事を特徴とする請求項１乃至３の何れかに記載の地表面或いは床面暖房装置。
【請求項５】
当該複数個のパネル基板部が、当該個々のパネル基板部に設けられている当該長尺状溝部の中心軸線が一致する様に連続的に相互に縦列的接合されている事を特徴とする請求項１乃至４の何れかに記載の地表面或いは床面暖房装置。
【請求項６】
当該複数個のパネル基板部が、当該個々のパネル基板部に設けられている当該長尺状溝部の中心軸線同士が相互に平行となる様に連続的に相互に並列的接合されている事を特徴とする請求項１乃至５の何れかに記載の地表面或いは床面暖房装置。
【請求項７】
当該パネル基板部に於ける当該天井部の外部表面部には、遠赤外線を放射する材料が、積層されているか、或いは当該遠赤外線を放射する材料が直接塗布されている事を特徴とする請求項１乃至６の何れかに記載の地表面或いは床面暖房装置。
【請求項８】
当該パネル基板部に於ける当該天井部の外部表面部には、当該長尺状溝部の中心軸線方向に沿って、当該長尺状溝部の空間領域の幅と等しいか、それに近似する幅を持った帯状のカラー標識部が形成されている事を特徴とする請求項１乃至７の何れかに記載の地表面或いは床面暖房装置。
【請求項９】
当該パネル基板部に於ける当該天井部の外部表面部には、当該長尺状溝部の中心軸線方向に沿った、当該長尺状溝部の空間領域の幅と等しいか、それに近似する幅を持った帯状の領域部を除く部分に少なくとも１個の釘或いはネジ等固定部材を貫通させる為の開口部が設けられている事を特徴とする請求項１乃至８の何れかに記載の地表面或いは床面暖房装置。
【請求項１０】
当該パネル基板部に於ける当該長尺状溝部の中心軸線方向と平行する側の端縁部の下方側壁面の一部に、当該パネル基板部を適宜の基底部に接合固定する事を可能とする結合固定部材が設けられている事を特徴とする請求項１乃至９の何れかに記載の地表面或いは床面暖房装置。
【請求項１１】
当該パネル基板部の厚みは、１０乃至３０ｍｍであることを特徴とする請求項１乃至１０の何れかに記載の地表面或いは床面暖房装置。
【請求項１２】
当該線状或いは帯状の長尺状発熱体は、その内部に、当該長尺状発熱体の長手方向に沿って、相互に所定の間隔を介して平行して配置されている一対の電極線を内蔵しており、当該各電極線が、当該長尺状発熱体の一方の端部から外方に突出して一対の電極部を形成している事を特徴とする請求項１乃至１１の何れかに記載の地表面或いは床面暖房装置。
【請求項１３】
当該線状或いは帯状の長尺状発熱体に於ける、当該長尺状発熱体の一方の端部から外方に突出して一対の電極部のそれぞれの端部には、適宜の配線接続用コネクタ部材が取り付けられている事を特徴とする請求項１２に記載の地表面或いは床面暖房装置。
【請求項１４】
当該線状或いは帯状の長尺状発熱体に於ける、当該電極部が形成されている端部とは異なる他方の端部には、前方に突出した薄厚の舌べら状案内部材を有するキャップ部材が取り付けられている事を特徴とする請求項１２又は１３に記載の地表面或いは床面暖房装置。
【請求項１５】
当該パネル基板部に於ける、当該長尺状溝部と直交する少なくとも一方の端縁部に於ける当該長尺状溝部の１つ若しくは複数個の開口端部から当該長尺状溝部内に挿入・引抜自在の状態で挿入されている１本若しくは複数本の当該長尺状発熱体を含む当該パネル基板部であって、当該長尺状発熱体が挿入された当該端縁部に於ける当該開口端部から当該配線接続用コネクタ部材が外方に突出せしめられている当該パネル基板部が使用されている事を特徴とする請求項１３に記載の地表面或いは床面暖房装置。
【請求項１６】
当該複数個のパネル基板部が、適宜の基底部表面上に、当該個々のパネル基板部に設けられている当該長尺状溝部の中心軸線が一致する様に連続的に相互に縦列的に隣接接合されて配置されている部分と、当該個々のパネル基板部に設けられている当該長尺状溝部の中心軸線同士が相互に平行となる様に連続的に相互に並列的に隣接接合されて配置されている部分とを含む様に敷設されて事を特徴とする請求項１乃至１５の何れかに記載の地表面或いは床面暖房装置。
【請求項１７】
当該複数個のパネル基板部の少なくとも一部の当該パネル基板部が、当該パネル基板部に於ける当該天井部の外面表面部形成された当該帯状のカラー標識部以外の当該天井部領域から適宜の釘或いはネジを当該基底部まで届く様に打ち込み或いはねじ込みして当該基底部に固定されるか、当該パネル基板部に於ける当該天井部の外面表面部形成された当該開口部から適宜の釘或いはネジを当該基底部まで届く様に打ち込み或いはねじ込みして当該基底部に固定されるか、或いは、当該パネル基板部に於ける当該長尺状溝部の中心軸線方向と平行する側の端縁部の下方側壁面の一部に設けられている当該結合固定部材を介して、適宜の釘或いはネジを使用して、当該パネル基板部を適宜の基底部に接合固定されている事を特徴とする請求項１０乃至１６の何れかに記載の地表面或いは床面暖房装置。
【請求項１８】
当該パネル基板部に於ける当該天井部の外部表面部には、クッション性や、強度や耐摩耗性、若しくは熱伝導性の大なる材料或いは大理石を含む遠赤外線を放射する材料で構成された外部表面層部が設けられている事を特徴とする請求項１乃至１７の何れかに記載の地表面或いは床面暖房装置。
【請求項１９】
当該複数個のパネル基板部が、適宜の基底部の表面に、略矩形状に隣接配置されて構成されたパネル基板部群に於ける、当該複数本の長尺状発熱体の当該配線接続用コネクタ部材が外方に突出せしめられている側の当該パネル基板部群の端縁部側の側面の外方部に形成される空間部に、当該長尺状発熱体を当該パネル基板部に形成された当該長尺状溝部内に挿入させるか引き抜きする為、若しくは、当該配線接続用コネクタ部材を電源用配線に設けられた別の接続用コネクタ部材と接続させるための操作を実行する為或いは点検作業を行うための空間領域部が設けられている事を特徴とする請求項１３に記載の地表面或いは床面暖房装置。
【請求項２０】
当該空間領域部は、当該パネル基板部群に於ける、当該複数本の長尺状発熱体の当該配線接続用コネクタ部材が外方に突出せしめられている側の当該パネル基板部群の端縁部側の側面と、当該パネル基板部群が敷設されている平面状領域の少なくとも一部を取り囲む壁部との間に形成されている事を特徴とする請求項１９に記載の地表面或いは床面暖房装置。
【請求項２１】
当該空間領域部の長尺状方向の長さは、当該パネル基板部群に於ける、当該複数本の長尺状発熱体の当該配線接続用コネクタ部材が外方に突出せしめられている側の当該パネル基板部群の端縁部側の側面部の全長に略等しい長さを有し、且つ当該空間領域部の当該長尺状方向と直交する方向の長さは、２００乃至３００ｍｍであり、且つ当該空間領域部の深さは、当該パネル基板部の厚みと略同じ高さに設定されている事を特徴とする請求項１９又は２０に記載の地表面或いは床面暖房装置。
【請求項２２】
当該空間領域部内には、当該空間領域部の長尺状方向に沿って、適宜の電源手段に接続された正極電源配線部と負極電源配線部とが相互に平行に配設されており、当該個々の正極電源配線部と負極電源配線部には、適宜の間隔で、分岐配線部が設けられており、且つ、当該個々の分岐配線部の先端部には、当該パネル基板部に於ける、所定の端縁部から突出せしめられている、当該長尺状発熱体の端部電極部に接続された当該配線接続用コネクタ部材の何れかと着脱自在に接合可能な別のコネクタ部材が取り付けられている事を特徴とする請求項２１に記載の地表面或いは床面暖房装置。
【請求項２３】
当該空間領域部には、当該空間領域部を被覆する適宜の材料で構成された蓋部材が設けられている事を特徴とする請求項１９乃至２２の何れかに記載の地表面或いは床面暖房装置。
【請求項２４】
当該蓋部材は、金属材料を少なくともその一部に内蔵しており且つ、その表面は、クッション性や、強度や耐摩耗性、若しくは熱伝導性の大なる材料或いは大理石を含む遠赤外線を放射する材料で構成されている事を特徴とする請求項２３に記載の地表面或いは床面暖房装置。
【請求項２５】
当該蓋部材は、当該空間領域部内に設けられた適宜の磁性体の磁力の影響下で、当該空間領域部の上面部に着脱自在に配置されている事を特徴とする請求項２３又は２４に記載の地表面或いは床面暖房装置。
【請求項２６】
当該パネル基板部に於ける当該天井部の外部表面部に設けられている外部表面層部と当該蓋部材の外面表面層部は、面一状に配置されている事を特徴とする請求項２３乃至２５の何れかに記載の地表面或いは床面暖房装置。
【請求項２７】
当該空間領域部内に配置されている当該個々の正極電源配線部と負極電源配線部が接続されている当該適宜の電源手段には、それぞれの当該長尺状発熱体に、所望の電力が最初に供給された時点から、所望の初期駆動時間の間に於いて、当該複数本の当該長尺状発熱体のそれぞれを、所望の遅延時間を介して、順次に当該電源手段と接続させる様に機能する長尺状発熱体部逐次個別駆動制御手段が設けられている事を特徴とする請求項２２に記載の地表面或いは床面暖房装置。
【手続補正２】
【補正対象書類名】明細書
【補正対象項目名】０００２
【補正方法】変更
【補正の内容】
【０００２】
従来より、地表面や屋内の床面を含む一般的基底部を加熱保温したり蓄熱保温する技術に関しては多数の異なる技術が開発され、一般的に実用化されてきている。
例えば、屋内の特に戸建住宅やマンションの個室等における床面を加熱保温する技術としては、通称、床暖房技術として周知されている通り、板体、繊維層体、プラスチック層体或いは大理石等を含む石材層からなる表面層部の下面層部に、通電により発熱する電気式発熱シートを配置するか、適宜の支持体層の間に、適宜の中空管をジグザグ状に引き回し配管し、当該中空管内に温水或いは温風を流通させるか、或いは当該中空管の代わりに、通電により発熱する線状発熱体を同じ形状で引き回し配設したブロックパネル材を複数個隣接して配列する方法が知られており、又、工場や倉庫等の大型建屋内或いは屋外の適宜の地表面に於いても、当該地表面を必要に応じて加熱したり、保温しておく必要のある部位は多数存在しており、例えば、当該工場や倉庫の内部温度を一定の温度に維持したいとか、道路や橋梁の表面或いは公衆が集まる公共施設等の地表面に凍結状態が発生すると危険な為、当該凍結防止のためにその地表面を加熱保温したり、特定の動植物の育成に際して、地中や地表面更には雰囲気温度を所望の温度に制御したい様な場合が多く存在しており、その何れの場合でも、地表面である基底面を主にコンクリートで構成し当該コンクリート層を主体とする本体部の表面部やその内部に適宜の中空管を配設し、当該中空管内に温水や温泉水、或いは温風を流通させるか、或いは当該中空管の代わりに、通電により発熱する面状発熱体を配置するか、通電により発熱する線状発熱体をジグザグ状に引き回し配線する方法、更には、当該コンクリート層を主体とする本体部の表面部やその内部に赤外線或いは電磁波を受けて発熱する発熱部材を配置する技術等が知られている。
【手続補正３】
【補正対象書類名】明細書
【補正対象項目名】００３８
【補正方法】変更
【補正の内容】
【００３８】
本考案に於いては、当該パネル基板部１は、適宜の材料で形成された当該基底部４７の表面部に直接的に或いは要すれば適宜の結合固定部材４３を介して、適宜の接合手段９５を使用して固定配置する事が好ましい具体例であるが、当該接合手段９５は特に限定されるものではないが、例えば、当該基底部４７の表面部と当該パネル基板部１の裏側或いは当該パネル基板部１に設けられた当該保護部材７の裏面側との間に適宜の接着剤を塗布して固定接合するものであっても良い。
更に、本考案に於いては、当該基底部４７が金属或いはコンクリートで形成されている場合には、当該基底部４７と当該各パネル基板部１との接合は、接着材を用いる場合が多く、それが木材である場合には、接着材のほか、ネジや釘打ち手段９５も使用されるものである。
【手続補正４】
【補正対象書類名】明細書
【補正対象項目名】００３９
【補正方法】変更
【補正の内容】
【００３９】
一方、当該複数個の当該パネル基板部１を二次元的に隣接して配置して、トンネル状部を含む地表面或いは床面暖房装置１００を形成する場合には、上記接合手段９５のほか、当該パネル基板部１の下端部周縁部に側断面形状が、例えばＬ字型をした適宜の結合固定部材４３を適宜の個数固定して設け、係る結合固定部材４３を介して、適宜のボルト・ナット、螺子或いは公知の結合技術を使用して、当該基底部４７に固定処理する事が可能である。
当該結合固定部材４３は、当該パネル基板部１に於ける当該長尺状の溝部４の中心軸線の配列方向に平行する長尺辺９の側壁面３１２，３１３の下方部に少なくとも一個、好ましくは複数個所定の間隔を介して取付るものである事が好ましい具体例である。
【手続補正５】
【補正対象書類名】明細書
【補正対象項目名】００４１
【補正方法】変更
【補正の内容】
【００４１】
本考案に係る当該パネル基板部１を適宜の基底部４７に固定する方法として、上記した具体例を説明したが、更に付言するならば、本考案に於いては、一個の当該パネル基板部１のみを所定の当該基底部４７の表面に固定する場合と、後述する様に、複数個の当該パネル基板部１を二次元的に平面状に隣接配置して固定する場合とがあるが、後者の場合に於いては、上記した通り、当該複数個のパネル基板部１をその長尺状の溝部４の中心軸線が一致する様に、平面上で縦列状に隣接接合配置する部分とそれと同時に、当該パネル基板部１の当該長尺状の溝部４の中心軸線と直交する方向に平面上で緯列状に隣接接合配置する部分との混合形式で配置したものを固定処理するものであるが、何れの場合でも、当該天井部２の外側表面部から当該天井部２を貫通して、当該パネル基板部１が配置されている当該基底部４７に向けて、ネジ或いは釘等の接合固定部材９５をねじ込み或いは打ち込みして固定する場合に、例えば、施工作業員が当該個々のパネル基板部１の天井部２の適宜の部位の表面上から、当該天井部２と当該支持部材３及び要すれば当該保護部材７とを一気に貫通する様に、適宜の釘部やネジ部等の接合固定部材９５を打ち込む際に、誤って、当該釘部やネジ部等の接合固定部材９５を当該長尺状の溝部４が配置設定されている部位に打ち込む危険性があり、その場合には、当該釘部９５が当該長尺状の溝部４内に入り込み、後述する様に、後工程で、当該長尺状の溝部４内に当該線状或いは帯状の長尺状発熱体５を挿入操作を行う場合に障害となり、当該線状或いは帯状の長尺状発熱体５をスムーズに当該長尺状の溝部４内に挿入する事が不可能となるほか、既に当該パネル基板部１の当該長尺状の溝部４内に、当該線状或いは帯状の長尺状発熱体５が挿入されている場合には、当該線状或いは帯状の長尺状発熱体５を破損させてしまうと言う重大な問題が発生することになる。
【手続補正６】
【補正対象書類名】明細書
【補正対象項目名】００５１
【補正方法】変更
【補正の内容】
【００５１】
更に、本考案に於いては、当該パネル基板部１に於ける当該天井部２の外面表面部には、遠赤外線を放射する材料が塗布されている事も望ましい具体例であり、具体的には、石英、蛍石、トルマリン等の熱を受けて遠赤外線を放射する機能を有する材料を微細に砕石した粒子を含む塗料を当該天井部２の外面表面に焼き付け印刷方式で塗布し、遠赤外線放射層４４を形成するものであり、これによって、当該パネル基板部１の外表面である当該天井部２の外表面１０３から遠赤外線を含む熱分が放射される事になる。
一方、本考案に於いては、当該基底部４７上に適宜の接合固定手段４３，９５等を介して固定せしめられた当該一個若しくは複数個のパネル基板部1に於ける当該天井部２の外部表面部１０３には、直接或いは当該遠赤外線放射層４４の上に、クッション性や、強度や耐摩耗性、若しくは熱伝導性の大なる主として合成樹脂成分材料で構成された上部被覆層（外部表面層部）４６が設けられてもよく、或いは、木材で構成されるか或いは合成樹脂材料で構成されたプラスチックタイルの様な床表面材を積層配置したものであってもよい。
【手続補正７】
【補正対象書類名】明細書
【補正対象項目名】００５２
【補正方法】変更
【補正の内容】
【００５２】
更には、当該天井部２の外部表面部に、大理石や蛍石、トルマリン等の鉱物材料で、遠赤外線を放射する材料で構成された上部被覆層４６が設けられているものであってもよい。
更に、本考案に於いては、当該パネル基板部1に於ける当該天井部２の外面表面部１０３に、直接適宜の厚みを持った土砂層を搭載する事も可能であり、これによって、屋内或いは屋外の農耕作業地の一部として本考案を使用する事が可能となる。
以下に、本考案に係る当該地表面或いは床面暖房装置１００に於ける、当該それぞれの線状或いは帯状の長尺状発熱体５と適宜の正極・負極からなる電源線及び適宜の制御手段を含む電源手段７０との配線接続の施工方法に関する具体例を図１４及び図１５を参照しながら詳細に説明する。
【手続補正８】
【補正対象書類名】明細書
【補正対象項目名】００５３
【補正方法】変更
【補正の内容】
【００５３】
即ち、本考案に於ける当該パネル基板部１の施工方法としては、特に限定されるものではないが、例えば、上記した複数個の当該長尺状の溝部４を所望の本数、所望の間隔で図１乃至図３に例示する方法で当該支持部材３内に複数本の当該長尺状の溝部４を配置形成したパネル基板部１を所定の工場内で製造し、これを所定の個数、施工現場に搬送し、所望の設計に沿って、当該基底部４７上の所定の部位に配置固定した後、当該それぞれのパネル基板部１の個々の当該長尺状の溝部４内部に所望の当該線状或いは帯状の長尺状発熱体５を手作業によって作業員により挿入し、その後、当該パネル基板部１の個々の当該長尺状の溝部４内部に挿入された当該個々の線状或いは帯状の長尺状発熱体５の端部に配置されているそれぞれの電極５１，５２を、作業員の手作業によって、当該パネル基板部１の表面或いはその近傍に設けられた電源手段７０と適宜のコネクター手段７８を介して接続する操作を行ってその施工を完了させるものである。
【手続補正９】
【補正対象書類名】明細書
【補正対象項目名】００６２
【補正方法】変更
【補正の内容】
【００６２】
より具体的には、当該本考案に係る当該地表面或いは床面暖房装置１００としては、当該複数個のパネル基板部１が、適宜の当該基底部４７の表面に、略矩形状に隣接配置されて構成されたパネル基板部１群に於ける、当該複数本の長尺状発熱体５の当該配線接続用コネクタ部材５５，５６が外方に突出せしめられている側の当該パネル基板部１群の端縁部側５９の側面の外方部に形成される空間部３０２に、当該長尺状発熱体５を当該パネル基板部１に形成された当該長尺状溝部４内に挿入させるか引き抜きする為、若しくは、当該配線接続用コネクタ部材５５，５６を電源用配線７２，７３に設けられた別の接続用コネクタ部材５７，５８とを接続させるための操作を実行する為の作業及び点検作業を行うための空間領域部３０２が設けられているものである。
【手続補正１０】
【補正対象書類名】明細書
【補正対象項目名】００６５
【補正方法】変更
【補正の内容】
【００６５】
一方、その他の部分は、既に説明されている通り、所望の基底部４７の上に、複数個の当該パネル基板部１が相互に隣接して接続配置されており、その接続部の上面部１０３及び／又は下面部１０４には、必要に応じて設けられる、適宜の当該補助接合部材９０が貼り付けられており、更に、当該複数個のパネル基板部１のそれぞれの上面から、必要に応じて、当該パネル基板部１が配置されている当該基底部４７に至る様に、釘打ち或いはねじ込み９５が行われている構造となっている。
又、本具体例に於いては、当該電源部７０は、当該壁部３００に近接して、当該適宜の被覆材３０４若しくは当該床材４６の上面に配置される事が望ましい具体例である。
【手続補正１１】
【補正対象書類名】明細書
【補正対象項目名】００６９
【補正方法】変更
【補正の内容】
【００６９】
この事実は、本考案に係る地面或いは床暖房システムは、略永久的に使用可能である事を示すものである。
具体的には、本考案に於いては、例えば、当該線状或いは帯状の長尺状発熱体５の発熱特性値を適宜の時間間隔で測定し、当該線状或いは帯状の長尺状発熱体５の取り換え時期を早期に発見して、故障が顕出される前に、早めに補修修理を行う事が望ましい。
即ち、本考案に係る当該地表面或いは床面暖房装置１００にあっては、当該作業用空間領域３０２は、当該パネル基板部１群に於ける、当該複数本の線状或いは帯状の長尺状発熱体５の当該配線接続用コネクタ部材５５、５６が当該パネル基板部１の側面部５９から外方に突出せしめられている側の当該パネル基板１群の端縁部側の側面５９と、当該パネル基板部１群が敷設されている平面状領域である基底部４７の少なくとも一部を取り囲む壁部３００との間に形成されている事が望ましい具体例である。
【手続補正１２】
【補正対象書類名】明細書
【補正対象項目名】００７２
【補正方法】変更
【補正の内容】
【００７２】
更に、本考案に於いては、当該作業用空間領域３０２を被覆する適宜の材料で構成された蓋部材３０４が設けられているか、或るいは、当該蓋部材３０４は、金属材料６１０で構成されているか或いは金属材料６１０が少なくともその一部に内蔵せしめられていて、且つ、当該蓋部材３０４の外面表面層部４０６は、通常の当該基底部４７上に配置されている当該パネル基板部１に於ける当該外部表面層部４６を構成する材料と同一の材料で構成されている事も好ましい具体例である。
一方、本考案に於いては、上記した具体例に於ける当該蓋部材３０４を安定的に固定保持しておくと同時に、当該地表面或いは床面暖房装置１００に於ける保守点検作業の実行或いは、当該線状或いは帯状の長尺状発熱体５の交換処理操作を実行する際に、当該蓋部材３０４が、作業員により容易に且つ迅速に取り外し出来、且つ当該各作業終了後には、当該蓋部材３０４を再度簡単かつ容易に然も迅速に元の状態に戻す事を可能とする為に、当該蓋部材３０４は、当該作業用空間領域３０２内に設けられた適宜の磁性体６００の磁力の影響下で、当該作業用空間領域３０２の上面部に着脱自在に固定配置されている事も望ましい具体例である。
【手続補正１３】
【補正対象書類名】明細書
【補正対象項目名】００７３
【補正方法】変更
【補正の内容】
【００７３】
より具体的には、図１７に示す様に、当該作業用空間領域３０２の当該基底部４７の一部に、適宜の磁石部材６００を固定配置させておくものである。
本考案に於いて使用される当該磁石部材６００の材質、形状、磁力の程度等は、特に限定はされないが、比較的磁力の強い磁石を使用する事が望ましく、その高さは当該パネル基板部１の厚み以下であれば良く、又、その平面形状或いは平面面積も特に規定する必要もないが、一具体例としては、図１７（Ａ）乃至図１７（Ｄ）に示す様に、直径が２５ｍｍで厚みが１２ｍｍの円形のドーナッツ型をした永久磁石６００を使用する事が望ましく、当該ドーナッツ型をした永久磁石６００の中心開口部６２０に適宜の釘或いはネジ６３０を貫通させて、当該作業用空間領域３０２の領域に対応する当該基底部４７の表面に当該永久磁石６００を固定する様にしたものである。
【手続補正１４】
【補正対象書類名】明細書
【補正対象項目名】００８１
【補正方法】変更
【補正の内容】
【００８１】
処で、本考案に於ける当該パネル基板部１に於いては、図８に示す様に、当該パネル基板部１を適宜のコンクリート、合板材を含む木材、プラスチック材或いは金属材料等で形成される平坦面からなる基底部４７に固定して使用するものであるが、基本的には、適宜の接着剤を使用して圧接固定するか、適宜のくぎ或いはネジ又はボルト等の適宜の固定手段９５を使用して、当該トンネル状部を含む地表面或いは床面暖房装置１００の本体部分を構成する当該パネル基板部１の当該天井部２の外表面部の上側から、或いは、当該本体部の側壁部から斜めの方向に、釘打ち若しくはネジ打ち９５して接合固定するか、或いは、図８に示す様に、当該パネル基板部１の側面部に適宜間隔で配置されたＬ字型の固定部材４３を使用して当該パネル基板部１を当該基底部４７上に固定する構成を採用するものであっても良い。
【手続補正１５】
【補正対象書類名】明細書
【補正対象項目名】００８２
【補正方法】変更
【補正の内容】
【００８２】
又、当該基底部４７がコンクリートで構成されている場合には、完全な水平面を形成する為に、当該コンクリートの上表面にモルタル層を形成した調整面を形成しておく事が望ましい。
更に、当該基底部４７が金属或いはコンクリートで形成されている場合には、当該基底面部４７と当該各パネル基板部との接合は、接着材を用いる場合が多く、それが木材である場合には、接着材のほか、ネジや釘打ち手段９５も使用されるものである。
【手続補正１６】
【補正対象書類名】明細書
【補正対象項目名】００９６
【補正方法】変更
【補正の内容】
【００９６】
一方、本考案に係る一具体例としては、図１４に示す当該地表面或いは床面暖房装置１００に於いては、複数個の当該パネル基板部１のそれぞれを個別に当該結合固定部材４３を使用し、所望のボルトや螺子若しくは釘等の接合手段を介して、当該基底部４７の表面に固定すると同時に、当該個々のパネル基板部１の当該天井部２の適宜の部位の表面上から、当該天井部２及び当該支持部材３とを貫通する様に、適宜の釘部９５を使用して打ち込み、それによって、当該パネル基板部１のそれぞれを個別に当該基底部４７の表面に固定するものであっても良く、或いは、予め、複数個の当該パネル基板部１のそれぞれを、それぞれの当該長尺状の溝部４の中心軸が一致する様に、長手方向に相互に接続させた当該地表面或いは床面暖房装置１００の一部構成部材を、上記したと同じ様な方法で、当該結合固定部材４３を介して、当該基底部４７の表面に固定すると同時に、当該個々のパネル基板部１の当該天井部２の適宜の部位の表面上から、当該天井部２及び当該支持部材３とを貫通する様に、適宜の釘部９５を使用して打ち込み、当該基板部２の表面に固定する様にしたものであっても良い。
【手続補正１７】
【補正対象書類名】明細書
【補正対象項目名】０１０５
【補正方法】変更
【補正の内容】
【０１０５】
１…パネル基板部
２…天井部
３…支持部材
４…長尺状の溝部
５…線状或いは帯状の長尺状発熱体
７…保護部材
８…支持部材の表面部
８’ …支持部材の裏表面部
９…端縁部、長尺辺
１０…空間領域
４３…結合固定部材
４４…遠赤外線放射層
４６…床材層、上部被覆層、外部表面層部
４７…基底部
５１、５２…電極線
５３…発熱層
５４…絶縁性合成樹脂材料層
５５、５６…コネクタ部材、第１のコネクタ部材
５７、５８…別のコネクタ部材、第２のコネクタ部材
５９、５９’…端縁部
６０…進入案内部材、キャップ部
６１…ガイド板
６２…案内部
６３…長尺状発熱体の一方の端部
６４…長尺状発熱体の反対側の端部
７０…電源手段
７１…直流電源部
７２…正電極線部
７３…負電極線部
７４…制御回路部
７５…タイマー手段
７６…記憶手段
７７…スイッチング部
７８…コネクター部
７９…分岐部
９０…補助接合部材
９５…釘部、接合固定部材
９６…カラー標識部
９７…開口部
１００…地表面或いは床面暖房装置
１０３…上表面部、天井部２の外表面
１０４…下表面部
３０１…根太、保持材部
３０２…作業用空間領域
３０４…適宜の被覆材・蓋部材
３１３…側壁面部
３１４…他方の側壁面部
４００…長尺状の溝部の開放端部、開口部
４０１…他方の開放端部
４６１…蓋部材の外面表面層部
６００…磁石部材
６１０…金属材料
６２０…本永久磁石の中心開口部
６３０…釘或いはネジ
【手続補正書】
【提出日】平成30年9月12日(2018.9.12)
【手続補正１】
【補正対象書類名】実用新案登録請求の範囲
【補正対象項目名】全文
【補正方法】変更
【補正の内容】
【実用新案登録請求の範囲】
【請求項１】
矩形状の平面形状を有し、且つ放熱性或いは熱伝導性の大なる材料で構成された板状部材からなる天井部と、当該天井部の下方面に積層配置されており、当該天井部の平面形状と同一の平面形状を有し、且つ保温性或いは蓄熱性若しくは断熱性を有する適宜の材料で構成された所望の厚みを有する支持部材とから構成されたパネル基板部であって、当該支持部材には、当該支持部材に於ける当該天井部に当接する表面部からその下方部に向かって、所定の深さを持ち、所定の幅を有する少なくとも一本の長尺状の溝部が、当該支持部材に於ける一方の長手方向と平行な方向に形成されているパネル基板部と、当該パネル基板部に於ける当該長尺状の溝部内部に挿入・引抜き自在に嵌合せしめられる少なくとも一本の線状或いは帯状の長尺状発熱体との組で構成されている発熱構造体を使用する事を特徴とする地表面或いは床面暖房装置。
【請求項２】
当該パネル基板部に於ける当該天井部の当該天井部と当接している一方の平面部とは反対側の平面部には、当該天井部の平面形状と同一の平面形状を有し、且つ、断熱性を有する適宜の材料で構成された所望の厚みを有する保護部材が設けられている事を特徴とする請求項１に記載の地表面或いは床面暖房装置。
【請求項３】
当該支持部材に設けられている当該長尺状の溝部は、当該パネル基板部に於ける当該天井部と当該保護部材とを連通させる様に構成されている事を特徴とする請求項２に記載の地表面或いは床面暖房装置。
【請求項４】
当該パネル基板部に於ける、当該長尺状溝部と平行する方向の長さは、３００ｍｍ乃至１０００００ｍｍの範囲であり、又、当該パネル基板部に於ける、当該長尺状溝部と直交する方向の長さは、３００ｍｍ乃至１８００ｍｍの範囲である事を特徴とする請求項１乃至３の何れかに記載の地表面或いは床面暖房装置。
【請求項５】
当該複数個のパネル基板部が、当該個々のパネル基板部に設けられている当該長尺状溝部の中心軸線が一致する様に連続的に相互に縦列的接合されている事を特徴とする請求項１乃至４の何れかに記載の地表面或いは床面暖房装置。
【請求項６】
当該複数個のパネル基板部が、当該個々のパネル基板部に設けられている当該長尺状溝部の中心軸線同士が相互に平行となる様に連続的に相互に並列的接合されている事を特徴とする請求項１乃至５の何れかに記載の地表面或いは床面暖房装置。
【請求項７】
当該パネル基板部に於ける当該天井部の外部表面部には、遠赤外線を放射する材料が、積層されているか、或いは当該遠赤外線を放射する材料が直接塗布されている事を特徴とする請求項１乃至６の何れかに記載の地表面或いは床面暖房装置。
【請求項８】
当該パネル基板部に於ける当該天井部の外部表面部には、当該長尺状溝部の中心軸線方向に沿って、当該長尺状溝部の空間領域の幅と等しいか、それに近似する幅を持った帯状のカラー標識部が形成されている事を特徴とする請求項１乃至７の何れかに記載の地表面或いは床面暖房装置。
【請求項９】
当該パネル基板部に於ける当該天井部の外部表面部には、当該長尺状溝部の中心軸線方向に沿った、当該長尺状溝部の空間領域の幅と等しいか、それに近似する幅を持った帯状の領域部を除く部分に少なくとも１個の釘或いはネジ等固定部材を貫通させる為の開口部が設けられている事を特徴とする請求項１乃至８の何れかに記載の地表面或いは床面暖房装置。
【請求項１０】
当該パネル基板部に於ける当該長尺状溝部の中心軸線方向と平行する側の端縁部の下方側壁面の一部に、当該パネル基板部を適宜の基底部に接合固定する事を可能とする結合固定部材が設けられている事を特徴とする請求項１乃至９の何れかに記載の地表面或いは床面暖房装置。
【請求項１１】
当該パネル基板部の厚みは、１０乃至３０ｍｍであることを特徴とする請求項１乃至１０の何れかに記載の地表面或いは床面暖房装置。
【請求項１２】
当該線状或いは帯状の長尺状発熱体は、その内部に、当該長尺状発熱体の長手方向に沿って、相互に所定の間隔を介して平行して配置されている一対の電極線を内蔵しており、当該各電極線が、当該長尺状発熱体の一方の端部から外方に突出して一対の電極部を形成している事を特徴とする請求項１乃至１１の何れかに記載の地表面或いは床面暖房装置。
【請求項１３】
当該線状或いは帯状の長尺状発熱体に於ける、当該長尺状発熱体の一方の端部から外方に突出して一対の電極部のそれぞれの端部には、適宜の配線接続用コネクタ部材が取り付けられている事を特徴とする請求項１２に記載の地表面或いは床面暖房装置。
【請求項１４】
当該線状或いは帯状の長尺状発熱体に於ける、当該電極部が形成されている端部とは異なる他方の端部には、前方に突出した薄厚の舌べら状案内部材を有するキャップ部材が取り付けられている事を特徴とする請求項１２又は１３に記載の地表面或いは床面暖房装置。
【請求項１５】
当該パネル基板部に於ける、当該長尺状溝部と直交する少なくとも一方の端縁部に於ける当該長尺状溝部の１つ若しくは複数個の開口端部から当該長尺状溝部内に挿入・引抜自在の状態で挿入されている１本若しくは複数本の当該長尺状発熱体を含む当該パネル基板部であって、当該長尺状発熱体が挿入された当該端縁部に於ける当該開口端部から当該配線接続用コネクタ部材が外方に突出せしめられている当該パネル基板部が使用されている事を特徴とする請求項１３に記載の地表面或いは床面暖房装置。
【請求項１６】
当該複数個のパネル基板部が、適宜の基底部表面上に、当該個々のパネル基板部に設けられている当該長尺状溝部の中心軸線が一致する様に連続的に相互に縦列的に隣接接合されて配置されている部分と、当該個々のパネル基板部に設けられている当該長尺状溝部の中心軸線同士が相互に平行となる様に連続的に相互に並列的に隣接接合されて配置されている部分とを含む様に敷設されて事を特徴とする請求項１乃至１５の何れかに記載の地表面或いは床面暖房装置。
【請求項１７】
当該複数個のパネル基板部の少なくとも一部の当該パネル基板部が、当該パネル基板部に於ける当該天井部の外面表面に形成された当該帯状のカラー標識部以外の当該天井部領域から適宜の釘或いはネジを当該基底部まで届く様に打ち込み或いはねじ込みして当該基底部に固定されるか、当該パネル基板部に於ける当該天井部の外面表面部に形成された当該開口部から適宜の釘或いはネジを当該基底部まで届く様に打ち込み或いはねじ込みして当該基底部に固定されるか、或いは、当該パネル基板部に於ける当該長尺状溝部の中心軸線方向と平行する側の端縁部の下方側壁面の一部に設けられている当該結合固定部材を介して、適宜の釘或いはネジを使用して、当該パネル基板部を適宜の基底部に接合固定されている事を特徴とする請求項１０に記載の地表面或いは床面暖房装置。
【請求項１８】
当該パネル基板部に於ける当該天井部の外部表面部には、クッション性や、強度や耐摩耗性、若しくは熱伝導性の大なる材料或いは大理石を含む遠赤外線を放射する材料で構成された外部表面層部が設けられている事を特徴とする請求項１乃至１７の何れかに記載の地表面或いは床面暖房装置。
【請求項１９】
当該複数個のパネル基板部が、適宜の基底部の表面に、略矩形状に隣接配置されて構成されたパネル基板部群に於ける、当該複数本の長尺状発熱体の当該配線接続用コネクタ部材が外方に突出せしめられている側の当該パネル基板部群の端縁部側の側面の外方部に形成される空間部に、当該長尺状発熱体を当該パネル基板部に形成された当該長尺状溝部内に挿入させるか引き抜きする為、若しくは、当該配線接続用コネクタ部材を電源用配線に設けられた別の接続用コネクタ部材と接続させるための操作を実行する為或いは点検作業を行うための空間領域部が設けられている事を特徴とする請求項１３に記載の地表面或いは床面暖房装置。
【請求項２０】
当該空間領域部は、当該パネル基板部群に於ける、当該複数本の長尺状発熱体の当該配線接続用コネクタ部材が外方に突出せしめられている側の当該パネル基板部群の端縁部側の側面と、当該パネル基板部群が敷設されている平面状領域の少なくとも一部を取り囲む壁部との間に形成されている事を特徴とする請求項１９に記載の地表面或いは床面暖房装置。
【請求項２１】
当該空間領域部の長尺状方向の長さは、当該パネル基板部群に於ける、当該複数本の長尺状発熱体の当該配線接続用コネクタ部材が外方に突出せしめられている側の当該パネル基板部群の端縁部側の側面部の全長に略等しい長さを有し、且つ当該空間領域部の当該長尺状方向と直交する方向の長さは、２００乃至３００ｍｍであり、且つ当該空間領域部の深さは、当該パネル基板部の厚みと略同じ高さに設定されている事を特徴とする請求項１９又は２０に記載の地表面或いは床面暖房装置。
【請求項２２】
当該空間領域部内には、当該空間領域部の長尺状方向に沿って、適宜の電源手段に接続された正極電源配線部と負極電源配線部とが相互に平行に配設されており、当該個々の正極電源配線部と負極電源配線部には、適宜の間隔で、分岐配線部が設けられており、且つ、当該個々の分岐配線部の先端部には、当該パネル基板部に於ける、所定の端縁部から突出せしめられている、当該長尺状発熱体の端部電極部に接続された当該配線接続用コネクタ部材の何れかと着脱自在に接合可能な別のコネクタ部材が取り付けられている事を特徴とする請求項２１に記載の地表面或いは床面暖房装置。
【請求項２３】
当該空間領域部には、当該空間領域部を被覆する適宜の材料で構成された蓋部材が設けられている事を特徴とする請求項１９乃至２２の何れかに記載の地表面或いは床面暖房装置。
【請求項２４】
当該蓋部材は、金属材料を少なくともその一部に内蔵しており且つ、その表面は、クッション性や、強度や耐摩耗性、若しくは熱伝導性の大なる材料或いは大理石を含む遠赤外線を放射する材料で構成されている事を特徴とする請求項２３に記載の地表面或いは床面暖房装置。
【請求項２５】
当該蓋部材は、当該空間領域部内に設けられた適宜の磁性体の磁力の影響下で、当該空間領域部の上面部に着脱自在に配置されている事を特徴とする請求項２３又は２４に記載の地表面或いは床面暖房装置。
【請求項２６】
当該パネル基板部に於ける当該天井部の外部表面部に設けられている外部表面層部と当該蓋部材の外面表面層部は、面一状に配置されている事を特徴とする請求項２３乃至２５の何れかに記載の地表面或いは床面暖房装置。
【請求項２７】
当該空間領域部内に配置されている当該個々の正極電源配線部と負極電源配線部が接続されている当該適宜の電源手段には、それぞれの当該長尺状発熱体に、所望の電力が最初に供給された時点から、所望の初期駆動時間の間に於いて、当該複数本の当該長尺状発熱体のそれぞれを、所望の遅延時間を介して、順次に当該電源手段と接続させる様に機能する長尺状発熱体部逐次個別駆動制御手段が設けられている事を特徴とする請求項２２に記載の地表面或いは床面暖房装置。